(57)【要約】【課題】ヒートポンプサイクルを利用して水媒体を加熱することが可能なヒートポンプシステムにおいて、高温の水媒体を得る。【解決手段】ヒートポンプシステム１は、熱源側圧縮機２１と熱源側冷媒の放熱器として機能する第１利用側熱交換器４１ａと熱源側冷媒の放熱器として機能する熱源側熱交換器２４とを有する熱源側冷媒回路２０と、飽和ガス温度６５℃に相当する圧力がゲージ圧で２．８ＭＰａ以下である利用側冷媒を圧縮する利用側圧縮機６２ａと利用側冷媒の放熱器として機能して水媒体を加熱する冷媒−水熱交換器６５ａと熱源側冷媒の放熱によって利用側冷媒の蒸発器として機能する第１利用側熱交換器４１ａとを有する利用側冷媒回路４０ａとを備えており、利用側冷媒回路４０ａに封入される利用側冷媒の重量は、利用側圧縮機６２ａの潤滑のために封入される冷凍機油の重量の１倍から３倍である。【選択図】図１
2010196952.tif 000002
【特許請求の範囲】
【請求項１】
熱源側冷媒を圧縮する熱源側圧縮機（２１）と、熱源側冷媒の放熱器として機能することが可能な第１利用側熱交換器（４１ａ、４１ｂ）と、熱源側冷媒の放熱器として機能することが可能な熱源側熱交換器（２４）とを有する熱源側冷媒回路（２０）と、
飽和ガス温度６５℃に相当する圧力がゲージ圧で２．８ＭＰａ以下である利用側冷媒を圧縮する利用側圧縮機（６２ａ、６２ｂ）と、利用側冷媒の放熱器として機能して水媒体を加熱することが可能な冷媒−水熱交換器（６５ａ、６５ｂ）と、熱源側冷媒の放熱によって利用側冷媒の蒸発器として機能することが可能な前記第１利用側熱交換器（４１ａ、４１ｂ）とを有する利用側冷媒回路（４０ａ、４０ｂ）とを備え、
前記利用側圧縮機と前記第１利用側熱交換器と前記冷媒−水熱交換器とは、第１利用ユニット（４ａ、４ｂ）を構成しており、
利用側冷媒の蒸発器として機能する前記第１利用側熱交換器から前記利用側圧縮機までの冷媒管の長さは、３ｍ以下であり、
前記利用側冷媒回路には、前記利用側圧縮機から吐出される利用側冷媒中に含まれる冷凍機油を分離して前記利用側圧縮機の吸入に戻すための油分離機構が設けられておらず、
前記利用側冷媒回路に封入される利用側冷媒の重量は、前記利用側圧縮機の潤滑のために封入される冷凍機油の重量の１倍から３倍である、
ヒートポンプシステム（１、２００、３００）。
【請求項２】
利用側冷媒は、飽和ガス温度６５℃に相当する圧力がゲージ圧で２．０ＭＰａ以下である、請求項１に記載のヒートポンプシステム（１、２００、３００）。
【請求項３】
前記利用側冷媒回路（４０ａ、４０ｂ）は、前記利用側圧縮機（６２ａ、６２ｂ）の吸入に利用側冷媒を一時的に溜めることが可能な利用側アキュムレータ（６７ａ、６７ｂ）と、前記冷媒−水熱交換器（６５ａ、６５ｂ）を流れる利用側冷媒の流量を可変することが可能な冷媒−水熱交側流量調節弁（６６ａ、６６ｂ）とをさらに有しており、
前記利用側圧縮機に冷凍機油が不足していると判定された場合には、前記冷媒−水熱交換器内の冷凍機油を含む利用側冷媒を前記冷媒−水熱交側流量調節弁及び前記第１利用側熱交換器を通じて前記利用側アキュムレータに戻す油回収運転を行う、
請求項１又は２に記載のヒートポンプシステム（１、２００、３００）。
【請求項４】
前記利用側圧縮機（６２ａ、６２ｂ）に冷凍機油が不足しているかどうかの判定は、前記利用側圧縮機の吐出における利用側冷媒の温度又は前記冷媒−水熱交換器（６５ａ、６５ｂ）の出口における水媒体の温度に基づいて行われる、請求項３に記載のヒートポンプシステム（１、２００、３００）。
【発明の詳細な説明】
【技術分野】
【０００１】
本発明は、ヒートポンプシステム、特に、ヒートポンプサイクルを利用して水媒体を加熱することが可能なヒートポンプシステムに関する。
【背景技術】
【０００２】
従来より、特許文献１（特開昭６０−１６４１５７号公報）に示されるような、ヒートポンプサイクルを利用して水を加熱することが可能なヒートポンプ給湯機がある。このようなヒートポンプ給湯機は、主として、圧縮機、冷媒−水熱交換器及び熱源側熱交換器を有しており、冷媒−水熱交換器における冷媒の放熱によって水を加熱し、これによって得られた温水を貯湯槽に供給するように構成されている。
【発明の概要】
【発明が解決しようとする課題】
【０００３】
上記従来のヒートポンプ給湯機では、高温の温水を貯湯槽に供給するために、冷媒−水熱交換器だけでなく補助加熱器を併用して水を加熱したり、圧縮機の吐出圧力を高くする等の運転効率の悪い条件で運転を行う必要があり、好ましいものとはいえない。
【０００４】
本発明の課題は、ヒートポンプサイクルを利用して水媒体を加熱することが可能なヒートポンプシステムにおいて、高温の水媒体を得ることができるようにすることにある。
【課題を解決するための手段】
【０００５】
第１の発明にかかるヒートポンプシステムは、熱源側冷媒回路と利用側冷媒回路とを備えている。熱源側冷媒回路は、熱源側冷媒を圧縮する熱源側圧縮機と、熱源側冷媒の放熱器として機能することが可能な第１利用側熱交換器と、熱源側冷媒の放熱器として機能することが可能な熱源側熱交換器とを有している。利用側冷媒回路は、飽和ガス温度６５℃に相当する圧力がゲージ圧で２．８ＭＰａ以下である利用側冷媒を圧縮する利用側圧縮機と、利用側冷媒の放熱器として機能して水媒体を加熱することが可能な冷媒−水熱交換器と、熱源側冷媒の放熱によって利用側冷媒の蒸発器として機能することが可能な第１利用側熱交換器とを有している。そして、利用側圧縮機と第１利用側熱交換器と冷媒−水熱交換器とは、第１利用ユニットを構成しており、利用側冷媒の蒸発器として機能する第１利用側熱交換器から利用側圧縮機までの冷媒管の長さは、３ｍ以下であり、利用側冷媒回路には、利用側圧縮機から吐出される利用側冷媒中に含まれる冷凍機油を分離して利用側圧縮機の吸入に戻すための油分離機構が設けられておらず、利用側冷媒回路に封入される利用側冷媒の重量は、利用側圧縮機の潤滑のために封入される冷凍機油の重量の１倍から３倍である。
【０００６】
このヒートポンプシステムでは、第１利用側熱交換器において、利用側冷媒回路を循環する利用側冷媒が熱源側冷媒回路を循環する熱源側冷媒の放熱によって加熱されるようになっており、利用側冷媒回路は、この熱源側冷媒から得た熱を利用して、熱源側冷媒回路における冷凍サイクルよりも高温の冷凍サイクルを得ることができるため、冷媒−水熱交換器における利用側冷媒の放熱によって高温の水媒体を得ることができる。
【０００７】
このとき、このヒートポンプシステムのように、利用側冷媒回路が第１利用ユニットに含まれており、しかも、利用側冷媒の蒸発器として機能する第１利用側熱交換器から利用側圧縮機までの冷媒管の長さが３ｍ以下という短い冷媒管であるという回路構成上の観点から見れば、利用側冷媒回路のうち利用側圧縮機以外の部分に冷凍機油が溜まり込むおそれが低いため、本来であれば、利用側冷媒回路に利用側冷媒とともに封入される冷凍機油の量を少なくすることができるものと考えられる。
【０００８】
一方、高温の水媒体を得る目的という観点から見れば、このヒートポンプシステムのように、利用側冷媒として、飽和ガス温度６５℃に相当する圧力がゲージ圧で２．８ＭＰａ以下の冷媒のような高沸点の冷媒（すなわち、低圧の飽和特性を有する冷媒）を使用することが好ましいが、このような低圧の飽和特性を有する冷媒を高温の水媒体を得る目的に使用すると、高温条件下での使用により冷凍機油中に溶け込むガス状態の利用側冷媒が増加し、その結果、冷凍機油の粘性率が低下して、利用側圧縮機から冷媒とともに吐出される冷凍機油の量が多くなり、利用側圧縮機内の潤滑不足が発生するおそれがあるため、利用側冷媒回路に利用側冷媒とともに封入される冷凍機油の量を多くする必要があると考えられる。
【０００９】
また、利用側圧縮機内における冷凍機油の温度が利用側冷媒の凝縮温度よりも低い場合には、利用側圧縮機内において、利用側冷媒が凝縮して冷凍機油の希釈が発生するおそれがあるが、特に、このヒートポンプシステムのような高温の水媒体を得るシステムでは、利用側冷媒の凝縮温度が高いことから冷凍機油の希釈が非常に進行しやすく、その結果、冷凍機油の粘性率が低下して、利用側圧縮機から冷媒とともに吐出される冷凍機油の量が多くなり、利用側圧縮機内の潤滑不足が発生するおそれがあるため、この点からも、利用側冷媒回路に利用側冷媒とともに封入される冷凍機油の量を多くする必要があると考えられる。
【００１０】
このように、冷凍機油の量を多くする場合には、利用側圧縮機から吐出される利用側冷媒に同伴して吐出される冷凍機油を分離して利用側圧縮機の吸入に戻す油分離機構を設けることが好ましい。
【００１１】
しかし、このヒートポンプシステムのような高温条件下での使用においては、上述のように、冷凍機油中に溶け込むガス状態の利用側冷媒が増加し、冷凍機油の希釈も進行しやすくなることから、利用側圧縮機から吐出される利用側冷媒に同伴して吐出される冷凍機油の量も多くなるため、油分離機構を設けると、冷凍機油とともに利用側圧縮機の吸入に戻される利用側冷媒の量も多くなり、運転効率を低下させるおそれがある。
【００１２】
そこで、このヒートポンプシステムでは、高温の水媒体を得る目的（凝縮温度が高く、ガス状態の利用側冷媒の冷凍機油への溶解量の増加や利用側冷媒の凝縮による冷凍機油の希釈の促進）及び、利用側冷媒回路のうち利用側圧縮機以外の部分に冷凍機油が溜まり込むおそれが低いこと（すなわち、利用側冷媒回路が第１利用ユニットに含まれており、しかも、利用側冷媒の蒸発器として機能する第１利用側熱交換器から利用側圧縮機までの冷媒管の長さが３ｍ以下という短い冷媒管であるという回路構成上の特徴）という観点も考慮して、従来の冷凍機油の量に対する考え方とは異なり、利用側冷媒回路に利用側圧縮機から吐出される利用側冷媒中に含まれる冷凍機油を分離して利用側圧縮機の吸入に戻すための油分離機構を設けることなく、利用側冷媒回路に封入される利用側冷媒の重量を利用側圧縮機の潤滑のために封入される冷凍機油の重量の１倍から３倍にするようにしている。
【００１３】
これにより、このヒートポンプシステムでは、冷凍機油とともに利用側圧縮機の吸入に戻される利用側冷媒の量が多くなることを許容しつつ、これによる運転効率の低下や利用側圧縮機内の潤滑不足を抑えつつ、高温の水媒体を得ることができる。
【００１４】
第２の発明にかかるヒートポンプシステムは、第１の発明にかかるヒートポンプシステムにおいて、利用側冷媒は、飽和ガス温度６５℃に相当する圧力が２．０ＭＰａ（ゲージ圧）以下である。
【００１５】
このヒートポンプシステムでは、利用側冷媒として、飽和ガス温度６５℃に相当する圧力がゲージ圧で２．０ＭＰａ以下の冷媒のような、さらに低圧の飽和特性を有する冷媒を使用しているため、さらに高温の水媒体を得ることができ、第１の発明にかかるヒートポンプシステムにおける作用効果が顕著になる。
【００１６】
第３の発明にかかるヒートポンプシステムは、第１又は第２の発明にかかるヒートポンプシステムにおいて、利用側冷媒回路は、利用側圧縮機の吸入に利用側冷媒を一時的に溜めることが可能なアキュムレータと、冷媒−水熱交換器を流れる利用側冷媒の流量を可変することが可能な冷媒−水熱交側流量調節弁とをさらに有しており、利用側圧縮機に冷凍機油が不足していると判定された場合には、冷媒−水熱交換器内の冷凍機油を含む利用側冷媒を冷媒−水熱交側流量調節弁及び第１利用側熱交換器を通じてアキュムレータに戻す油回収運転を行う。
【００１７】
第１又は第２の発明にかかるヒートポンプシステムでは、油分離機構が設けられていないため、利用側冷媒とともに冷凍機油が、利用側冷媒の放熱器として機能する冷媒−水熱交換器内に導入されやすく、しかも、高温条件下では、冷媒−水熱交換器内において、液状態の利用側冷媒と冷凍機油との二相分離が発生しやすいことから、利用側冷媒の放熱器として機能する冷媒−水熱交換器内に冷凍機油が溜まり込みやすい。
【００１８】
そこで、このヒートポンプシステムでは、利用側冷媒回路に、利用側圧縮機の吸入に利用側冷媒を一時的に溜めることが可能な利用側アキュムレータと、冷媒−水熱交換器を流れる利用側冷媒の流量を可変することが可能な冷媒−水熱交側流量調節弁とをさらに設けて、利用側圧縮機に冷凍機油が不足していると判定された場合には、冷媒−水熱交換器内の冷凍機油を含む利用側冷媒を冷媒−水熱交側流量調節弁及び第１利用側熱交換器を通じて、液状態の利用側冷媒と冷凍機油との二相分離が発生しにくい低温条件にある利用側アキュムレータに戻す油回収運転を行うことで、利用側圧縮機における冷凍機油不足が発生しないようにすることができる。また、この油回収運転中は、冷媒−水熱交換器を利用側冷媒の放熱器として機能させて水冷媒を加熱する運転を継続することができる。
【００１９】
第４の発明にかかるヒートポンプシステムは、第３の発明にかかるヒートポンプシステムにおいて、利用側圧縮機に冷凍機油が不足しているかどうかの判定は、利用側圧縮機の吐出における利用側冷媒の温度又は冷媒−水熱交換器の出口における水媒体の温度に基づいて行われる。
【００２０】
このヒートポンプシステムでは、利用側圧縮機に冷凍機油が不足しているかどうかの判定を、利用側圧縮機の吐出における利用側冷媒の温度又は冷媒−水熱交換器の出口における水媒体の温度に基づいて行うようにしているため、利用側圧縮機における冷凍機油中への利用側冷媒の溶け込みの程度や冷媒−水熱交換器における利用側冷媒と冷凍機油との二相分離の程度を考慮して利用側圧縮機に冷凍機油が不足しているかどうかの判定を適切に行うことができる。
【発明の効果】
【００２１】
以上の説明に述べたように、本発明によれば、以下の効果が得られる。
【００２２】
第１の発明では、運転効率の低下や利用側圧縮機内の潤滑不足を抑えつつ、高温の水媒体を得ることができる。
【００２３】
第２の発明では、利用側冷媒として、飽和ガス温度６５℃に相当する圧力がゲージ圧で２．０ＭＰａ以下の冷媒のようなさらに低圧の飽和特性を有する冷媒を使用しているため、さらに高温の水媒体を得ることができ、第１の発明にかかる作用効果が顕著になる。
【００２４】
第３の発明では、利用側圧縮機における冷凍機油不足が発生しないようにすることができる。
【００２５】
第４の発明では、利用側圧縮機における冷凍機油中への利用側冷媒の溶け込みの程度や冷媒−水熱交換器における利用側冷媒と冷凍機油との二相分離の程度を考慮して利用側圧縮機に冷凍機油が不足しているかどうかの判定を適切に行うことができる。
【図面の簡単な説明】
【００２６】
【図１】本発明の第１実施形態及び変形例１にかかるヒートポンプシステムの概略構成図である。
【図２】第１実施形態の変形例１、第２実施形態の変形例１及び第３実施形態の変形例１における利用側冷媒回路の油回収運転制御を示すフローチャートである。
【図３】第１実施形態の変形例２にかかるヒートポンプシステムの概略構成図である。
【図４】第１実施形態の変形例２、第２実施形態の変形例２及び第３実施形態の変形例２における除霜運転を示すフローチャートである。
【図５】第１実施形態の変形例３にかかるヒートポンプシステムの概略構成図である。
【図６】本発明の第２実施形態及び変形例１にかかるヒートポンプシステムの概略構成図である。
【図７】第２実施形態の変形例２にかかるヒートポンプシステムの概略構成図である。
【図８】第２実施形態の変形例３にかかるヒートポンプシステムの概略構成図である。
【図９】第２実施形態の変形例３にかかるヒートポンプシステムの概略構成図である。
【図１０】第２実施形態の変形例３にかかるヒートポンプシステムの概略構成図である。
【図１１】第２実施形態の変形例４にかかるヒートポンプシステムの概略構成図である。
【図１２】本発明の第３実施形態及び変形例１にかかるヒートポンプシステムの概略構成図である。
【図１３】第３実施形態の変形例２にかかるヒートポンプシステムの概略構成図である。
【図１４】第３実施形態の変形例３にかかるヒートポンプシステムの概略構成図である。
【図１５】第２実施形態の変形例４にかかるヒートポンプシステムの概略構成図である。
【図１６】第２実施形態の変形例４にかかるヒートポンプシステムの概略構成図である。
【図１７】第２実施形態の変形例４にかかるヒートポンプシステムの概略構成図である。
【図１８】第２実施形態の変形例５にかかるヒートポンプシステムの概略構成図である。
【発明を実施するための形態】
【００２７】
以下、本発明にかかるヒートポンプシステムの実施形態について、図面に基づいて説明する。
【００２８】
（第１実施形態）
＜構成＞
−全体−
図１は、本発明の第１実施形態にかかるヒートポンプシステム１の概略構成図である。ヒートポンプシステム１は、蒸気圧縮式のヒートポンプサイクルを利用して水媒体を加熱する運転等を行うことが可能な装置である。
【００２９】
ヒートポンプシステム１は、主として、熱源ユニット２と、第１利用ユニット４ａと、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａとが冷媒連絡管１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２（後述）の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。また、利用側冷媒回路４０ａに封入される利用側冷媒の重量は、利用側圧縮機６２ａの潤滑のために封入される冷凍機油の重量の１倍から３倍となっている。そして、ＨＦＣ−１３４ａは、このような飽和圧力特性を有する冷媒の一種である。また、水媒体回路８０ａには、水媒体としての水が循環するようになっている。
【００３０】
−熱源ユニット−
熱源ユニット２は、屋外に設置されており、冷媒連絡管１３、１４を介して利用ユニット４ａに接続されており、熱源側冷媒回路２０の一部を構成している。
【００３１】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０とを有している。
【００３２】
熱源側圧縮機２１は、熱源側冷媒を圧縮する機構であり、ここでは、ケーシング（図示せず）内に収容されたロータリ式やスクロール式等の容積式の圧縮要素（図示せず）が、同じくケーシング内に収容された熱源側圧縮機モータ２１ａによって駆動される密閉式圧縮機が採用されている。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によって、その回転数（すなわち、運転周波数）を可変でき、これにより、熱源側圧縮機２１の容量制御が可能になっている。
【００３３】
油分離機構２２は、熱源側圧縮機２１から吐出された熱源側冷媒中に含まれる冷凍機油を分離して熱源側圧縮機の吸入に戻すための機構であり、主として、熱源側圧縮機２１の熱源側吐出管２１ｂに設けられた油分離器２２ａと、油分離器２２ａと熱源側圧縮機２１の熱源側吸入管２１ｃとを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を熱源側圧縮機２１の熱源側吸入管２１ｃに戻す冷媒管である。
【００３４】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁であり、熱源側吐出管２１ｂと、熱源側吸入管２１ｃと、熱源側熱交換器２４のガス側に接続された第１熱源側ガス冷媒管２３ａと、ガス側閉鎖弁３０に接続された第２熱源側ガス冷媒管２３ｂとに接続されている。そして、熱源側切換機構２３は、熱源側吐出管２１ｂと第１熱源側ガス冷媒管２３ａとを連通させるとともに、第２熱源側ガス冷媒管２３ｂと熱源側吸入管２１ｃとを連通（熱源側放熱運転状態に対応、図１の熱源側切換機構２３の実線を参照）したり、熱源側吐出管２１ｂと第２熱源側ガス冷媒管２３ｂとを連通させるとともに、第１熱源側ガス冷媒管２３ａと熱源側吸入管２１ｃとを連通（熱源側蒸発運転状態に対応、図１の熱源側切換機構２３の破線を参照）する切り換えを行うことが可能である。尚、熱源側切換機構２３は、四路切換弁に限定されるものではなく、例えば、複数の電磁弁を組み合わせる等によって、上述と同様の熱源側冷媒の流れの方向を切り換える機能を有するように構成したものであってもよい。
【００３５】
熱源側熱交換器２４は、熱源側冷媒と室外空気との熱交換を行うことで熱源側冷媒の放熱器又は蒸発器として機能する熱交換器であり、その液側に熱源側液冷媒管２４ａが接続されており、そのガス側に第１熱源側ガス冷媒管２３ａが接続されている。この熱源側熱交換器２４において熱源側冷媒と熱交換を行う室外空気は、熱源側ファンモータ３２ａによって駆動される熱源側ファン３２によって供給されるようになっている。
【００３６】
熱源側膨張弁２５は、熱源側熱交換器２４を流れる熱源側冷媒の減圧等を行う電動膨張弁であり、熱源側液冷媒管２４ａに設けられている。
【００３７】
吸入戻し管２６は、熱源側液冷媒管２４ａを流れる熱源側冷媒の一部を分岐して熱源側圧縮機２１の吸入に戻す冷媒管であり、ここでは、その一端が熱源側液冷媒管２４ａに接続されており、その他端が熱源側吸入管２１ｃに接続されている。そして、吸入戻し管２６には、開度制御が可能な吸入戻し膨張弁２６ａが設けられている。この吸入戻し膨張弁２６ａは、電動膨張弁からなる。
【００３８】
過冷却器２７は、熱源側液冷媒管２４ａを流れる熱源側冷媒と吸入戻し管２６を流れる熱源側冷媒（より具体的には、吸入戻し膨張弁２６ａによって減圧された後の冷媒）との熱交換を行う熱交換器である。
【００３９】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一時的に溜めるための容器である。
【００４０】
液側閉鎖弁２９は、熱源側液冷媒管２４ａと液冷媒連絡管１３との接続部に設けられた弁である。ガス側閉鎖弁３０は、第２熱源側ガス冷媒管２３ｂとガス冷媒連絡管１４との接続部に設けられた弁である。
【００４１】
また、熱源ユニット２には、各種のセンサが設けられている。具体的には、熱源ユニット２には、熱源側圧縮機２１の吸入における熱源側冷媒の圧力である熱源側吸入圧力Ｐｓ１を検出する熱源側吸入圧力センサ３３と、熱源側圧縮機２１の吐出における熱源側冷媒の圧力である熱源側吐出圧力Ｐｄ１を検出する熱源側吐出圧力センサ３４と、熱源側熱交換器２４の液側における熱源側冷媒の温度である熱源側熱交換器温度Ｔｈｘを検出する熱源側熱交温度センサ３５と、外気温度Ｔｏを検出する外気温度センサ３６とが設けられている。
【００４２】
−液冷媒連絡管−
液冷媒連絡管１３は、液側閉鎖弁２９を介して熱源側液冷媒管２４ａに接続されており、熱源側切換機構２３が熱源側放熱運転状態において熱源側冷媒の放熱器として機能する熱源側熱交換器２４の出口から熱源ユニット２外に熱源側冷媒を導出することが可能で、かつ、熱源側切換機構２３が熱源側蒸発運転状態において熱源ユニット２外から熱源側冷媒の蒸発器として機能する熱源側熱交換器２４の入口に熱源側冷媒を導入することが可能な冷媒管である。
【００４３】
−ガス冷媒連絡管−
ガス冷媒連絡管１４は、ガス側閉鎖弁３０を介して第２熱源側ガス冷媒管２３ｂに接続されており、熱源側切換機構２３が熱源側放熱運転状態において熱源ユニット２外から熱源側圧縮機２１の吸入に熱源側冷媒を導入することが可能で、かつ、熱源側切換機構２３が熱源側蒸発運転状態において熱源側圧縮機２１の吐出から熱源ユニット２外に熱源側冷媒を導出することが可能な冷媒管である。
【００４４】
−第１利用ユニット−
第１利用ユニット４ａは、屋内に設置されており、冷媒連絡管１３、１４を介して熱源ユニット２に接続されており、熱源側冷媒回路２０の一部を構成している。また、第１利用ユニット４ａは、利用側冷媒回路４０ａを構成している。さらに、第１利用ユニット４ａは、水媒体連絡管１５ａ、１６ａを介して貯湯ユニット８ａ及び温水暖房ユニット９ａに接続されており、水媒体回路８０ａの一部を構成している。
【００４５】
第１利用ユニット４ａは、主として、第１利用側熱交換器４１ａと、第１利用側流量調節弁４２ａと、利用側圧縮機６２ａと、冷媒−水熱交換器６５ａと、冷媒−水熱交側流量調節弁６６ａと、利用側アキュムレータ６７ａと、循環ポンプ４３ａとを有している。
【００４６】
第１利用側熱交換器４１ａは、熱源側冷媒と利用側冷媒との熱交換を行うことで熱源側冷媒の放熱器として機能する熱交換器であり、その熱源側冷媒が流れる流路の液側には、第１利用側液冷媒管４５ａが接続されており、その熱源側冷媒が流れる流路のガス側には、第１利用側ガス冷媒管５４ａが接続されており、その利用側冷媒が流れる流路の液側には、カスケード側液冷媒管６８ａが接続されており、その利用側冷媒が流れる流路のガス側には、第２カスケード側ガス冷媒管６９ａが接続されている。第１利用側液冷媒管４５ａには、液冷媒連絡管１３が接続されており、第１利用側ガス冷媒管５４ａには、ガス冷媒連絡管１４が接続されており、カスケード側液冷媒管６８ａには、冷媒−水熱交換器６５ａが接続されており、第２カスケード側ガス冷媒管６９ａには、利用側圧縮機６２ａが接続されている。
【００４７】
第１利用側流量調節弁４２ａは、開度制御を行うことで第１利用側熱交換器４１ａを流れる熱源側冷媒の流量を可変することが可能な電動膨張弁であり、第１利用側液冷媒管４５ａに設けられている。
【００４８】
利用側圧縮機６２ａは、利用側冷媒を圧縮する機構であり、ここでは、ケーシング（図示せず）内に収容されたロータリ式やスクロール式等の容積式の圧縮要素（図示せず）が、同じくケーシング内に収容された利用側圧縮機モータ６３ａによって駆動される密閉式圧縮機が採用されている。この利用側圧縮機６２ａのケーシング内には、圧縮要素において圧縮された後の熱源側冷媒が充満する高圧空間（図示せず）が形成されており、この高圧空間には、冷凍機油が溜められている。利用側圧縮機モータ６３ａは、インバータ装置（図示せず）によって、その回転数（すなわち、運転周波数）を可変でき、これにより、利用側圧縮機６２ａの容量制御が可能になっている。また、利用側圧縮機６２ａの吐出には、カスケード側吐出管７０ａが接続されており、利用側圧縮機６２ａの吸入には、カスケード側吸入管７１ａが接続されている。このカスケード側吸入管７１ａは、第２カスケード側ガス冷媒管６９ａに接続されている。ここで、利用側冷媒の蒸発器として機能する第１利用側熱交換器４１ａから利用側圧縮機６２ａ（より具体的には、利用側圧縮機６２ａの吸入）までの冷媒管の長さ（すなわち、第２カスケード側ガス冷媒管６９ａ及びカスケード側吸入管７１ａの合計長さ）は、３ｍ以下と非常に短くなっている。
【００４９】
冷媒−水熱交換器６５ａは、利用側冷媒と水媒体との熱交換を行うことで利用側冷媒の放熱器として機能する熱交換器であり、その利用側冷媒が流れる流路の液側には、カスケード側液冷媒管６８ａが接続されており、その利用側冷媒が流れる流路のガス側には、第１カスケード側ガス冷媒管７２ａが接続されており、その水媒体が流れる流路の入口側には、第１利用側水入口管４７ａが接続されており、その水媒体が流れる流路の出口側には、第１利用側水出口管４８ａが接続されている。第１カスケード側ガス冷媒管７２ａは、カスケード側吐出管７０ａに接続されており、第１利用側水入口管４７ａには、水媒体連絡管１５ａが接続されており、第１利用側水出口管４８ａには、水媒体連絡管１６ａが接続されている。
【００５０】
冷媒−水熱交側流量調節弁６６ａは、開度制御を行うことで冷媒−水熱交換器６５ａを流れる利用側冷媒の流量を可変することが可能な電動膨張弁であり、カスケード側液冷媒管６８ａに設けられている。
【００５１】
利用側アキュムレータ６７ａは、カスケード側吸入管７１ａに設けられており、利用側冷媒回路４０ａを循環する利用側冷媒をカスケード側吸入管７１ａから利用側圧縮機６２ａに吸入される前に一時的に溜めるための容器である。
【００５２】
このように、利用側圧縮機６２ａ、冷媒−水熱交換器６５ａ、冷媒−水熱交側流量調節弁６６ａ及び第１利用側熱交換器４１ａが冷媒管７１ａ、７０ａ、７２ａ、６８ａ、６９ａを介して接続されることによって、利用側冷媒回路４０ａが構成されている。尚、熱源側冷媒回路２０とは異なり、利用側冷媒回路４０ａには、利用側圧縮機６２ａから吐出される利用側冷媒中に含まれる冷凍機油を分離して利用側圧縮機６２ａの吸入に戻すための油分離機構が設けられていない。
【００５３】
循環ポンプ４３ａは、水媒体の昇圧を行う機構であり、ここでは、遠心式や容積式のポンプ要素（図示せず）が循環ポンプモータ４４ａによって駆動されるポンプが採用されている。循環ポンプ４３ａは、第１利用側水出口管４８ａに設けられている。循環ポンプモータ４４ａは、インバータ装置（図示せず）によって、その回転数（すなわち、運転周波数）を可変でき、これにより、循環ポンプ４３ａの容量制御が可能になっている。
【００５４】
これにより、第１利用ユニット４ａは、第１利用側熱交換器４１ａをガス冷媒連絡管１４から導入される熱源側冷媒の放熱器として機能させることで、第１利用側熱交換器４１ａにおいて放熱した熱源側冷媒を液冷媒連絡管１３に導出し、第１利用側熱交換器４１ａにおける熱源側冷媒の放熱によって利用側冷媒回路４０ａを循環する利用側冷媒を加熱し、この加熱された利用側冷媒が利用側圧縮機６２ａにおいて圧縮された後に、冷媒−水熱交換器６５ａにおいて放熱することによって水媒体を加熱する給湯運転を行うことが可能になっている。
【００５５】
また、第１利用ユニット４ａには、各種のセンサが設けられている。具体的には、第１利用ユニット４ａには、第１利用側熱交換器４１ａの液側における熱源側冷媒の温度である第１利用側冷媒温度Ｔｓｃ１を検出する第１利用側熱交温度センサ５０ａと、冷媒−水熱交換器６５ａの液側における利用側冷媒の温度であるカスケード側冷媒温度Ｔｓｃ２を検出する第１冷媒−水熱交温度センサ７３ａと、冷媒−水熱交換器６５ａの入口における水媒体の温度である水媒体入口温度Ｔｗｒを検出する水媒体出口温度センサ５１ａと、冷媒−水熱交換器６５ａの出口における水媒体の温度である水媒体出口温度Ｔｗｌを検出する水媒体出口温度センサ５２ａと、利用側圧縮機６２ａの吸入における利用側冷媒の圧力である利用側吸入圧力Ｐｓ２を検出する利用側吸入圧力センサ７４ａと、利用側圧縮機６２ａの吐出における利用側冷媒の圧力である利用側吐出圧力Ｐｄ２を検出する利用側吐出圧力センサ７５ａと、利用側圧縮機６２ａの吐出における利用側冷媒の温度である利用側吐出温度Ｔｄ２を検出する利用側吐出温度センサ７６ａとが設けられている。
【００５６】
−貯湯ユニット−
貯湯ユニット８ａは、屋内に設置されており、水媒体連絡管１５ａ、１６ａを介して第１利用ユニット４ａに接続されており、水媒体回路８０ａの一部を構成している。
【００５７】
貯湯ユニット８ａは、主として、貯湯タンク８１ａと、熱交換コイル８２ａとを有している。
【００５８】
貯湯タンク８１ａは、給湯に供される水媒体としての水を溜める容器であり、その上部には、蛇口やシャワー等に温水となった水媒体を送るための給湯管８３ａが接続されており、その下部には、給湯管８３ａによって消費された水媒体の補充を行うための給水管８４ａが接続されている。
【００５９】
熱交換コイル８２ａは、貯湯タンク８１ａ内に設けられており、水媒体回路８０ａを循環する水媒体と貯湯タンク８１ａ内の水媒体との熱交換を行うことで貯湯タンク８１ａ内の水媒体の加熱器として機能する熱交換器であり、その入口には、水媒体連絡管１６ａが接続されており、その出口には、水媒体連絡管１５ａが接続されている。
【００６０】
これにより、貯湯ユニット８ａは、第１利用ユニット４ａにおいて加熱された水媒体回路８０ａを循環する水媒体によって貯湯タンク８１ａ内の水媒体を加熱して温水として溜めることが可能になっている。尚、ここでは、貯湯ユニット８ａとして、第１利用ユニット４ａにおいて加熱された水媒体との熱交換によって加熱された水媒体を貯湯タンクに溜める型式の貯湯ユニットを採用しているが、第１利用ユニット４ａにおいて加熱された水媒体を貯湯タンクに溜める型式の貯湯ユニットを採用してもよい。
【００６１】
また、貯湯ユニット８ａには、各種のセンサが設けられている。具体的には、貯湯ユニット８ａには、貯湯タンク８１ａに溜められる水媒体の温度である貯湯温度Ｔｗｈを検出するための貯湯温度センサ８５ａが設けられている。
【００６２】
−温水暖房ユニット−
温水暖房ユニット９ａは、屋内に設置されており、水媒体連絡管１５ａ、１６ａを介して第１利用ユニット４ａに接続されており、水媒体回路８０ａの一部を構成している。
【００６３】
温水暖房ユニット９ａは、主として、熱交換パネル９１ａを有しており、ラジエータや床暖房パネル等を構成している。
【００６４】
熱交換パネル９１ａは、ラジエータの場合には、室内の壁際等に設けられ、床暖房パネルの場合には、室内の床下等に設けられており、水媒体回路８０ａを循環する水媒体の放熱器として機能する熱交換器であり、その入口には、水媒体連絡管１６ａが接続されており、その出口には、水媒体連絡管１５ａが接続されている。
【００６５】
−水媒体連絡管−
水媒体連絡管１５ａは、貯湯ユニット８ａの熱交換コイル８２ａの出口及び温水暖房ユニット９ａの熱交換パネル９１ａの出口に接続されている。水媒体連絡管１６ａは、貯湯ユニット８ａの熱交換コイル８２ａの入口及び温水暖房ユニット９ａの熱交換パネル９１ａの入口に接続されている。水媒体連絡管１６ａには、水媒体回路８０ａを循環する水媒体を貯湯ユニット８ａ及び温水暖房ユニット９ａの両方、又は、貯湯ユニット８ａ及び温水暖房ユニット９ａのいずれか一方に供給するかの切り換えを行うことが可能な水媒体側切換機構１６１ａが設けられている。この水媒体側切換機構１６１ａは、三方弁からなる。
【００６６】
＜動作＞
次に、ヒートポンプシステム１の動作について説明する。
【００６７】
ヒートポンプシステム１の運転モードとしては、第１利用ユニット４ａの給湯運転（すなわち、貯湯ユニット８ａ及び／又は温水暖房ユニット９ａの運転）を行う給湯運転モードがある。
【００６８】
以下、ヒートポンプシステム１の給湯運転モードにおける動作について説明する。
【００６９】
−給湯運転モード−
第１利用ユニット４ａの給湯運転を行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。
【００７０】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【００７１】
ガス冷媒連絡管１４に送られた高圧の熱源側冷媒は、第１利用ユニット４ａに送られる。第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【００７２】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００７３】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【００７４】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【００７５】
このようにして、第１利用ユニット４ａの給湯運転を行う給湯運転モードにおける動作が行われる。
【００７６】
−各冷媒回路の吐出飽和温度制御及び各熱交換器出口の過冷却度制御−
次に、上述の給湯運転における各冷媒回路２０、４０ａの吐出飽和温度制御及び各熱交換器４１ａ、６５ａ出口の過冷却度制御について説明する。
【００７７】
このヒートポンプシステム１では、上述のように、第１利用側熱交換器４１ａにおいて、利用側冷媒回路４０ａを循環する利用側冷媒が熱源側冷媒回路２０を循環する熱源側冷媒の放熱によって加熱されるようになっており、利用側冷媒回路４０ａは、この熱源側冷媒から得た熱を利用して、熱源側冷媒回路２０における冷凍サイクルよりも高温の冷凍サイクルを得ることができるため、冷媒−水熱交換器６５ａにおける利用側冷媒の放熱によって高温の水媒体を得ることができるようになっている。このとき、安定的に高温の水媒体を得るためには、熱源側冷媒回路２０における冷凍サイクル及び利用側冷媒回路４０ａにおける冷凍サイクルがいずれも安定するように制御することが好ましい。
【００７８】
そこで、このヒートポンプシステム１では、両冷媒回路２０、４０ａの圧縮機２１、６２ａをいずれも容量可変型にして、各圧縮機２０、６２ａの吐出における冷媒の圧力に相当する飽和温度（すなわち、熱源側吐出飽和温度Ｔｃ１及び利用側吐出飽和温度Ｔｃ２）を各冷凍サイクルの冷媒の圧力の代表値として用いて、各吐出飽和温度Ｔｃ１、Ｔｃ２が所定の目標吐出飽和温度Ｔｃ１ｓ、Ｔｃ２ｓになるように各圧縮機２１、６２ａの容量制御を行うようにしている。
【００７９】
ここで、熱源側吐出飽和温度Ｔｃ１は、熱源側圧縮機２１の吐出における熱源側冷媒の圧力である熱源側吐出圧力Ｐｄ１を、この圧力値に相当する飽和温度に換算した値であり、利用側吐出飽和温度Ｔｃ２は、利用側圧縮機６２ａの吐出における利用側冷媒の圧力である利用側吐出圧力Ｐｄ２を、この圧力値に相当する飽和温度に換算した値である。
【００８０】
そして、熱源側冷媒回路２０においては、熱源側吐出飽和温度Ｔｃ１が目標熱源側吐出飽和温度Ｔｃ１ｓよりも小さい場合には、熱源側圧縮機２１の回転数（すなわち、運転周波数）を大きくすることで熱源側圧縮機２１の運転容量が大きくなるように制御し、熱源側吐出飽和温度Ｔｃ１が目標熱源側吐出飽和温度Ｔｃ１ｓよりも大きい場合には、熱源側圧縮機２１の回転数（すなわち、運転周波数）を小さくすることで熱源側圧縮機２１の運転容量が小さくなるように制御する。また、利用側冷媒回路４０ａにおいては、利用側吐出飽和温度Ｔｃ２が目標利用側吐出飽和温度Ｔｃ２ｓよりも小さい場合には、利用側圧縮機６２ａの回転数（すなわち、運転周波数）を大きくすることで利用側圧縮機６２ａの運転容量が大きくなるように制御し、利用側吐出飽和温度Ｔｃ２が目標利用側吐出飽和温度Ｔｃ２ｓよりも大きい場合には、利用側圧縮機６２ａの回転数（すなわち、運転周波数）を小さくすることで利用側圧縮機６２ａの運転容量が小さくなるように制御する。
【００８１】
これにより、熱源側冷媒回路２０においては第１利用側冷媒回路４１ａを流れる熱源側冷媒の圧力が安定し、また、利用側冷媒回路４０ａにおいては冷媒−水熱交換器６５ａを流れる利用側冷媒の圧力が安定するため、両冷媒回路２０、４０ａにおける冷凍サイクルの状態を安定させることができ、安定的に高温の水媒体を得ることができる。
【００８２】
また、このとき、所望の温度の水媒体を得るためには、各目標吐出飽和温度Ｔｃ１ｓ、Ｔｃ２ｓを適切に設定することが好ましい。
【００８３】
そこで、このヒートポンプシステム１では、まず、利用側冷媒回路４１ａについて、冷媒−水熱交換器６５ａの出口における水媒体の温度の目標値である所定の目標水媒体出口温度Ｔｗｌｓを設定しておき、目標利用側吐出飽和温度Ｔｃ２ｓを目標水媒体出口温度Ｔｗｌｓによって可変される値として設定するようにしている。ここでは、例えば、目標水媒体出口温度Ｔｗｌｓが８０℃に設定される場合には、目標利用側吐出飽和温度Ｔｃ２ｓを８５℃に設定したり、また、目標水媒体出口温度Ｔｗｌｓが２５℃に設定される場合には、目標利用側吐出飽和温度Ｔｃ２ｓを３０℃に設定する等のように、目標水媒体出口温度Ｔｗｌｓが高い温度に設定されるにつれて目標利用側吐出飽和温度Ｔｃ２ｓも高い温度になるように、かつ、目標水媒体出口温度Ｔｗｌｓよりも少し高い温度になるように、３０℃〜８５℃の範囲内で関数化して設定している。これにより、目標水媒体出口温度Ｔｗｌｓに応じて目標利用側吐出飽和温度Ｔｃ２ｓが適切に設定されるため、所望の目標水媒体出口温度Ｔｗｓが得られやすく、また、目標水媒体出口温度Ｔｗｓが変更された場合であっても、応答性のよい制御を行うことができる。
【００８４】
また、熱源側冷媒回路２０については、目標熱源側吐出飽和温度Ｔｃ１ｓを目標利用側吐出飽和温度Ｔｃ２ｓ、又は、目標水媒体出口温度Ｔｗｓによって可変される値として設定するようにしている。ここでは、例えば、目標利用側吐出飽和温度Ｔｃ２ｓ又は目標水媒体出口温度Ｔｗｓが７５℃や８０℃に設定される場合には、目標熱源側吐出飽和温度Ｔｃ１ｓを３５℃〜４０℃の温度範囲になるように設定したり、また、目標利用側吐出飽和温度Ｔｃ２ｓ又は目標水媒体出口温度Ｔｗｓが３０℃や２５℃に設定される場合には、目標熱源側吐出飽和温度Ｔｃ１ｓを１０℃〜１５℃の温度範囲になるように設定する等のように、目標利用側吐出飽和温度Ｔｃ２ｓ又は目標水媒体出口温度Ｔｗｓが高い温度に設定されるにつれて目標熱源側吐出飽和温度Ｔｃ１ｓも高い温度範囲になるように、かつ、目標利用側吐出飽和温度Ｔｃ２ｓ又は目標水媒体出口温度Ｔｗｓよりも低い温度範囲になるように、１０℃〜４０℃の範囲内で関数化して設定している。尚、目標利用側吐出飽和温度Ｔｃ２ｓについては、目標水媒体出口温度Ｔｗｓを正確に得るという目的から、上述のように、１つの温度として設定されることが好ましいが、目標熱源側吐出飽和温度Ｔｃ１ｓについては、目標利用側吐出飽和温度Ｔｃ２ほどの厳密な設定は必要なく、むしろある程度の温度幅を許容するほうが好ましいことから、上述のように、温度範囲として設定されるほうが好ましい。これにより、目標利用側吐出飽和温度Ｔｃ２ｓ、又は、目標水媒体出口温度Ｔｗｓに応じて目標熱源側吐出飽和温度Ｔｃ１ｓが適切に設定されるため、利用側冷媒回路４０ａにおける冷凍サイクルの状態に応じて適切に熱源側冷媒回路２０における冷凍サイクルを制御することができる。
【００８５】
また、このヒートポンプシステム１では、熱源側冷媒回路２０を流れる熱源側冷媒の主減圧を行う機構として第１利用側流量調節弁４２ａを、そして、利用側冷媒回路４０ａを流れる利用側冷媒の主減圧を行う機構として冷媒−水熱交側流量調節弁６６ａを設けて、熱源側冷媒回路２０については、第１利用側熱交換器４１ａの出口における熱源側冷媒の過冷却度である熱源側冷媒過冷却度ＳＣ１が目標熱源側冷媒過冷却度ＳＣ１ｓになるように第１利用側流量調節弁４２ａの開度制御を行うようにし、そして、利用側冷媒回路４０ａについては、冷媒−水熱交換器６５ａの出口における利用側冷媒の過冷却度である利用側冷媒過冷却度ＳＣ２が目標利用側冷媒過冷却度ＳＣ２ｓになるように冷媒−水熱交側流量調節弁６６ａの開度制御を行うようにしている。
【００８６】
ここで、熱源側冷媒過冷却度ＳＣ１は、熱源側吐出飽和温度Ｔｃ１から第１利用側冷媒温度Ｔｓｃ１を差し引いた値であり、利用側冷媒過冷却度ＳＣ２は、利用側吐出飽和温度Ｔｃ２からカスケード側冷媒温度Ｔｓｃ２を差し引いた値である。
【００８７】
そして、熱源側冷媒回路２０においては、熱源側冷媒過冷却度ＳＣ１が目標熱源側冷媒過冷却度ＳＣ１ｓよりも小さい場合には、第１利用側流量調節弁４２ａの開度を小さくすることで第１利用側熱交換器４１ａを流れる熱源側冷媒の流量が小さくなるように制御し、熱源側冷媒過冷却度ＳＣ１が目標熱源側冷媒過冷却度ＳＣ１ｓよりも大きい場合には、第１利用側流量調節弁４２ａの開度を大きくすることで第１利用側熱交換器４１ａを流れる熱源側冷媒の流量が大きくなるように制御する。また、利用側冷媒回路４０ａにおいては、利用側冷媒過冷却度ＳＣ２が目標利用側冷媒過冷却度ＳＣ２ｓよりも小さい場合には、冷媒−水熱交側流量調節弁６６ａの開度を小さくすることで冷媒−水熱交換器６５ａを流れる利用側冷媒の流量が小さくなるように制御し、利用側冷媒過冷却度ＳＣ２が目標利用側冷媒過冷却度ＳＣ２ｓよりも大きい場合には、冷媒−水熱交側流量調節弁６６ａの開度を大きくすることで冷媒−水熱交換器６５ａを流れる利用側冷媒の流量が大きくなるように制御する。尚、目標冷媒過冷却度ＳＣ１ｓ、ＳＣ２ｓは、第１利用側熱交換器４１ａ及び冷媒−水熱交換器６５ａの熱交換能力の設計条件等を考慮して設定されている。
【００８８】
これにより、熱源側冷媒回路２０においては第１利用側冷媒回路４１ａを流れる熱源側冷媒の流量が安定し、また、利用側冷媒回路４０ａにおいては冷媒−水熱交換器６５ａを流れる利用側冷媒の流量が安定するため、第１利用側熱交換器４１ａ及び冷媒−水熱交換器６５ａの熱交換能力に適した条件で運転を行うことができ、両冷媒回路２０、４０ａにおける冷凍サイクルの状態を安定させることに寄与する。
【００８９】
このように、このヒートポンプシステム１では、各冷媒回路２０、４０ａの吐出飽和温度制御及び各熱交換器４１ａ、６５ａ出口の過冷却度制御によって、各冷媒回路２０、４０ａにおける冷媒の圧力及び流量が安定し、これにより、両冷媒回路２０、４０ａにおける冷凍サイクルの状態を安定させることができ、安定的に高温の水媒体を得ることができる。
【００９０】
＜特徴＞
このヒートポンプシステム１には、以下のような特徴がある。
【００９１】
−Ａ−
このヒートポンプシステム１では、第１利用側熱交換器４１ａにおいて、利用側冷媒回路４０ａを循環する利用側冷媒が熱源側冷媒回路２０を循環する熱源側冷媒の放熱によって加熱されるようになっており、利用側冷媒回路４０ａは、この熱源側冷媒から得た熱を利用して、熱源側冷媒回路２０における冷凍サイクルよりも高温の冷凍サイクルを得ることができるため、冷媒−水熱交換器６５ａにおける利用側冷媒の放熱によって高温の水媒体を得ることができる。
【００９２】
このとき、このヒートポンプシステム１のように、利用側冷媒回路４０ａが第１利用ユニット４ａに含まれており、しかも、利用側冷媒の蒸発器として機能する第１利用側熱交換器４１ａから利用側圧縮機６２ａまでの冷媒管の長さ（すなわち、第２カスケード側ガス冷媒管６９ａ及びカスケード側吸入管７１ａの合計長さ）が３ｍ以下という短い冷媒管であるという回路構成上の観点から見れば、利用側冷媒回路４０ａのうち利用側圧縮機６２ａ以外の部分に冷凍機油が溜まり込むおそれが低いため、本来であれば、利用側冷媒回路４０ａに利用側冷媒とともに封入される冷凍機油の量を少なくすることができるものと考えられる。
【００９３】
一方、高温の水媒体を得る目的という観点から見れば、このヒートポンプシステム１のように、利用側冷媒として、飽和ガス温度６５℃に相当する圧力がゲージ圧で２．８ＭＰａ以下、好ましくは、２．０ＭＰａ以下の冷媒のような高沸点の冷媒（すなわち、低圧の飽和特性を有する冷媒、ここでは、ＨＦＣ−１３４ａ）を使用することが好ましいが、このような低圧の飽和特性を有する冷媒を高温の水媒体を得る目的に使用すると、高温条件下での使用により冷凍機油中に溶け込むガス状態の利用側冷媒が増加し、その結果、冷凍機油の粘性率が低下して、利用側圧縮機６２ａから冷媒とともに吐出される冷凍機油の量が多くなり、利用側圧縮機６２ａ内の潤滑不足が発生するおそれがあるため、利用側冷媒回路４０ａに利用側冷媒とともに封入される冷凍機油の量を多くする必要があると考えられる。
【００９４】
また、利用側圧縮機６２ａ内における冷凍機油の温度が利用側冷媒の凝縮温度よりも低い場合には、利用側圧縮機６２ａ内において、利用側冷媒が凝縮して冷凍機油の希釈が発生するおそれがあるが、特に、このヒートポンプシステム１のような高温の水媒体を得るシステムでは、利用側冷媒の凝縮温度が高いことから冷凍機油の希釈が非常に進行しやすく、その結果、冷凍機油の粘性率が低下して、利用側圧縮機６２ａから冷媒とともに吐出される冷凍機油の量が多くなり、利用側圧縮機６２ａ内の潤滑不足が発生するおそれがあるため、この点からも、利用側冷媒回路４０ａに利用側冷媒とともに封入される冷凍機油の量を多くする必要があると考えられる。特に、このヒートポンプシステム１における利用側圧縮機６２ａのような、利用側圧縮機６２ａのケーシング内に、圧縮要素において圧縮された後の熱源側冷媒が充満する高圧空間（図示せず）が形成されており、この高圧空間に冷凍機油が溜められた構造では、利用側冷媒が凝縮しやすく冷凍機油の希釈が進行しやすい。
【００９５】
このように、冷凍機油の量を多くする場合には、利用側圧縮機６２ａから吐出される利用側冷媒に同伴して吐出される冷凍機油を分離して利用側圧縮機６２ａの吸入に戻す油分離機構を設けることが好ましい。
【００９６】
しかし、このヒートポンプシステム１のような高温条件下での使用においては、上述のように、冷凍機油中に溶け込むガス状態の利用側冷媒が増加し、冷凍機油の希釈も進行しやすくなることから、利用側圧縮機６２ａから吐出される利用側冷媒に同伴して吐出される冷凍機油の量も多くなるため、油分離機構を設けると、冷凍機油とともに利用側圧縮機６２ａの吸入に戻される利用側冷媒の量も多くなり、運転効率を低下させるおそれがある。
【００９７】
そこで、このヒートポンプシステム１では、高温の水媒体を得る目的（凝縮温度が高く、ガス状態の利用側冷媒の冷凍機油への溶解量の増加や利用側冷媒の凝縮による冷凍機油の希釈の促進）及び、利用側冷媒回路４０ａのうち利用側圧縮機６２ａ以外の部分に冷凍機油が溜まり込むおそれが低いこと（すなわち、利用側冷媒回路４０ａが第１利用ユニット４ａに含まれており、しかも、利用側冷媒の蒸発器として機能する第１利用側熱交換器４１ａから利用側圧縮機６２ａまでの冷媒管の長さが３ｍ以下という短い冷媒管であるという回路構成上の特徴）という観点も考慮して、従来の冷凍機油の量に対する考え方とは異なり、利用側冷媒回路４０ａに利用側圧縮機６２ａから吐出される利用側冷媒中に含まれる冷凍機油を分離して利用側圧縮機６２ａの吸入に戻すための油分離機構を設けることなく、利用側冷媒回路４０ａに封入される利用側冷媒の重量を利用側圧縮機の潤滑のために封入される冷凍機油の重量の１倍から３倍にするようにしている。
【００９８】
これにより、このヒートポンプシステム１では、冷凍機油とともに利用側圧縮機６２ａの吸入に戻される利用側冷媒の量が多くなることを許容しつつ、これによる運転効率の低下や利用側圧縮機６２ａ内の潤滑不足を抑えつつ、高温の水媒体を得ることができる。
【００９９】
特に、このヒートポンプシステム１では、利用側冷媒として、ＨＦＣ−１３４ａを使用しているため、さらに高温の水媒体を得ることができ、上述の作用効果が顕著になる。
【０１００】
−Ｂ−
このヒートポンプシステム１において、安定的に高温の水媒体を得るためには、熱源側冷媒回路２０における冷凍サイクル及び利用側冷媒回路４０ａにおける冷凍サイクルがいずれも安定するように制御することが好ましいが、このヒートポンプシステム１では、両冷媒回路２０、４０ａの圧縮機２１、６２ａをいずれも容量可変型にして、各圧縮機２１、６２ａの吐出における冷媒の圧力に相当する飽和温度（すなわち、熱源側吐出飽和温度Ｔｃ１及び利用側吐出飽和温度Ｔｃ２）を各冷凍サイクルの冷媒の圧力の代表値として用いて、各吐出飽和温度Ｔｃ１、Ｔｃ２が目標吐出飽和温度Ｔｃ１ｓ、Ｔｃ２ｓになるように各圧縮機２１、６２ａの容量制御を行うようにしているため、両冷媒回路２０、４０ａにおける冷凍サイクルの状態を安定させることができ、これにより、安定的に高温の水媒体を得ることができる。しかも、このヒートポンプシステム１では、第１利用側熱交換器４１ａが熱源側冷媒と利用側冷媒との熱交換により直接的に熱の授受を行う熱交換器になっており、熱源側冷媒回路２０から利用側冷媒回路４０ａに授受される際の熱ロスが少なく、高温の水媒体を得ることに貢献している。
【０１０１】
（１）変形例１
上述のヒートポンプシステム１では、利用側圧縮機６２ａの吐出に油分離機構が設けられていないため、利用側冷媒とともに冷凍機油が、利用側冷媒の放熱器として機能する冷媒−水熱交換器６５ａ内に導入されやすく、しかも、高温条件下では、冷媒−水熱交換器６５ａ内において、液状態の利用側冷媒と冷凍機油との二相分離が発生しやすいことから、利用側冷媒の放熱器として機能する冷媒−水熱交換器６５ａ内に冷凍機油が溜まり込みやすい。また、上述のように、冷媒−水熱交換器６５ａ出口の過冷却度制御を行っている場合には、利用側冷媒過冷却度ＳＣ２に応じた量の液状態の利用側冷媒が冷媒−水熱交換器６５ａ内に溜まることになるため、液状態の利用側冷媒と冷凍機油との二相分離がさらに発生しやすい状態にある。
【０１０２】
そこで、このヒートポンプシステム１では、図２に示されるように、利用側圧縮機６２ａに冷凍機油が不足していると判定された場合には（ステップＳ１）、冷媒−水熱交換器６５ａ内の冷凍機油を含む利用側冷媒を冷媒−水熱交側流量調節弁６６ａ及び第１利用側熱交換器４１ａを通じて液状態の利用側冷媒と冷凍機油との二相分離が発生しにくい低温条件にある利用側アキュムレータ６７ａに戻す油回収運転を行うようにしている（ステップＳ２）。
【０１０３】
ここで、利用側圧縮機６２ａに冷凍機油が不足しているかどうかの判定は、利用側圧縮機６２ａの吐出における利用側冷媒の温度である利用側吐出温度Ｔｄ２又は冷媒−水熱交換器６５ａの出口における水媒体の温度である水媒体出口温度Ｔｗｌに基づいて行うようにしている。より具体的には、利用側吐出温度Ｔｄ２が所定の油不足吐出温度Ｔｏｃ１よりも大きい状態で、かつ、利用側圧縮機６２ａの運転周波数ｆ２が所定の油不足周波数ｆｏｃ１よりも大きい状態の運転が、所定の油不足運転時間ｔｏ１以上連続して行われた場合、又は、水媒体出口温度Ｔｗｌが所定の油不足出口温度Ｔｏｃ２よりも大きい状態で、かつ、利用側圧縮機６２ａの運転周波数ｆ２が所定の油不足周波数ｆｏｃ２よりも大きい状態の運転が、所定の油不足運転時間ｔｏ２以上連続して行われた場合には、利用側圧縮機６２ａに冷凍機油が不足しているものと判定するようにしている。これにより、利用側圧縮機６２ａにおける冷凍機油中への利用側冷媒の溶け込みの程度や冷媒−水熱交換器６５ａにおける利用側冷媒と冷凍機油との二相分離の程度を考慮して利用側圧縮機６２ａに冷凍機油が不足しているかどうかの判定を適切に行うことができる。
【０１０４】
また、油回収運転（ステップＳ２）は、冷媒−水熱交側流量調節弁６６ａを全開状態とし、利用側圧縮機６２ａの運転周波数ｆ２を油不足周波数ｆｏｃ１、ｆｏｃ２よりも小さい周波数である油回収運転周波数ｆｏｃにするようにしている。これにより、利用側圧縮機６２ａから利用側冷媒とともに吐出される冷凍機油の量を少なくし、冷媒−水熱交換器６５ａに溜まり込んでいる冷凍機油を速やかに排出することができる。しかも、このヒートポンプシステム１では、利用側冷媒の蒸発器として機能する第１利用側熱交換器４１ａから利用側圧縮機６２ａまでの冷媒管の長さが３ｍ以下という短い冷媒管であるため、冷媒−水熱交換器６５ａから排出された冷凍機油が、利用側冷媒の蒸発器として機能する第１利用側熱交換器４１ａから利用側圧縮機６２ａまでの冷媒管に溜まり込むことなく、速やかに利用側アキュムレータ６７ａに戻すことができる。
【０１０５】
そして、所定の油回収運転時間ｔｏｃが経過した後に（ステップＳ３）、第１利用ユニット４ａを油回収運転前の運転状態に復帰させる（ステップＳ４）。
【０１０６】
これにより、このヒートポンプシステム１では、利用側圧縮機６２ａにおける冷凍機油不足が発生しないようにすることができる。また、この油回収運転中は、冷媒−水熱交換器６５ａを利用側冷媒の放熱器として機能させて水冷媒を加熱する運転を継続することができ、これにより、油回収運転を行うことによる給湯運転への悪影響を極力小さくすることができる。
【０１０７】
（２）変形例２
上述のヒートポンプシステム１（図１参照）において、図３に示されるように、冷媒−水熱交換器６５ａを利用側冷媒の放熱器として機能させるとともに第１利用側熱交換器４１ａを利用側冷媒の蒸発器として機能させる利用側放熱運転状態と冷媒−水熱交換器６５ａを利用側冷媒の蒸発器として機能させるとともに第１利用側熱交換器４１ａを利用側冷媒の放熱器として機能させる利用側蒸発運転状態とを切り換えることが可能な第１利用側切換機構６４ａを利用側冷媒回路４０ａにさらに設けるようにしてもよい。
【０１０８】
ここで、第１利用側切換機構６４ａは、四路切換弁であり、カスケード側吐出管７０ａと、カスケード側吸入管７１ａと、第１カスケード側ガス冷媒管７２ａと、第２カスケード側ガス冷媒管６９ａとに接続されている。そして、第１利用側切換機構６４ａは、カスケード側吐出管７０ａと第１カスケード側ガス冷媒管７２ａとを連通させるとともに、第２カスケード側ガス冷媒管６９ａとカスケード側吸入管７１ａとを連通（利用側放熱運転状態に対応、図１７の第１利用側切換機構６４ａの実線を参照）したり、カスケード側吐出管７０ａと第２カスケード側ガス冷媒管６９ａとを連通させるとともに、第１カスケード側ガス冷媒管７２ａとカスケード側吸入管７１ａとを連通（利用側蒸発運転状態に対応、図４の第１利用側切換機構６４ａの破線を参照）する切り換えを行うことが可能である。尚、第１利用側切換機構６４ａは、四路切換弁に限定されるものではなく、例えば、複数の電磁弁を組み合わせる等によって、上述と同様の利用側冷媒の流れの方向を切り換える機能を有するように構成したものであってもよい。
【０１０９】
このような構成を有するヒートポンプシステム１では、給湯運転モードにおける動作によって、熱源側熱交換器２４の除霜が必要であると判定された場合には、熱源側切換機構２３を熱源側放熱運転状態にすることによって熱源側熱交換器２４を熱源側冷媒の放熱器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させる除霜運転を行うことができる。
【０１１０】
以下、この除霜運転における動作について図４を用いて説明する。
【０１１１】
まず、所定の除霜運転開始条件を満たすかどうか（すなわち、熱源側熱交換器２４の除霜が必要であるかどうか）の判定を行う（ステップＳ１１）。ここでは、除霜時間間隔Δｔｄｆ（すなわち、前回の除霜運転終了からの積算運転時間）が所定の除霜時間間隔設定値Δｔｄｆｓに達したかどうかによって、除霜運転開始条件を満たすかどうかを判定する。
【０１１２】
そして、除霜運転開始条件を満たしていると判定された場合には、以下の除霜運転を開始する（ステップＳ１２）。
【０１１３】
除霜運転を開始する際には、熱源側冷媒回路２０においては、熱源側切換機構２３が熱源側放熱運転状態（図３の熱源側切換機構２３の実線で示された状態）に切り換えられ、利用側冷媒回路４０ａにおいては、第１利用側切換機構６４ａが利用側蒸発運転状態（図３の第１利用側切換機構６４ａの破線で示された状態）に切り換えられ、吸入戻し膨張弁２６ａが閉止された状態になる。
【０１１４】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側熱交換器２４に付着した氷と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、吸入戻し管２６に熱源側冷媒が流れていないため、熱交換を行うことなく、熱源側液冷媒管２４ａ及び液側閉鎖弁２９を通じて、熱源ユニット２から液冷媒連絡管１３に送られる。
【０１１５】
液冷媒連絡管１３に送られた熱源側冷媒は、第１利用ユニット４ａに送られる。
【０１１６】
第１利用ユニット４ａに送られた熱源側冷媒は、第１利用側流量調節弁４２ａに送られる。第１利用側流量調節弁４２ａに送られた熱源側冷媒は、第１利用側流量調節弁４２ａにおいて減圧されて、低圧の気液二相状態になり、第１利用側液冷媒管４５ａを通じて、第１利用側熱交換器４１ａに送られる。第１利用側熱交換器４１ａに送られた低圧の熱源側冷媒は、第１利用側熱交換器４１ａにおいて、利用側冷媒回路４０ａを循環する冷凍サイクルにおける高圧の利用側冷媒と熱交換を行って蒸発する。第１利用側熱交換器４１ａにおいて蒸発した低圧の熱源側冷媒は、第１利用側ガス冷媒管５４ａを通じて、第１利用ユニット４ａからガス冷媒連絡管１４に送られる。
【０１１７】
第１利用ユニット４ａからガス冷媒連絡管１４に送られた熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１１８】
一方、利用側冷媒回路４０ａにおいては、第１利用側熱交換器４１ａにおける熱源側冷媒の蒸発によって利用側冷媒回路４０ａを循環する冷凍サイクルにおける高圧の利用側冷媒が放熱する。第１利用側熱交換器４１ａにおいて放熱した高圧の利用側冷媒は、冷媒−水熱交側流量調節弁６６ａに送られる。冷媒−水熱交側流量調節弁６６ａに送られた高圧の利用側冷媒は、冷媒−水熱交側流量調節弁６６ａにおいて減圧されて、低圧の気液二相状態になり、カスケード側液冷媒管６８ａを通じて、冷媒−水熱交換器６５ａに送られる。冷媒−水熱交換器６５ａに送られた低圧の利用側冷媒は、冷媒−水熱交換器６５ａにおいて、循環ポンプ４３ａによって水媒体回路８０ａを循環する水媒体と熱交換を行って蒸発する。冷媒−水熱交換器６５ａにおいて蒸発した低圧の利用側冷媒は、第１カスケード側ガス冷媒管７２ａ及び第１利用側切換機構６４ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１利用側切換機構６４ａ及び第２カスケード側ガス冷媒管６９ａを通じて、再び、第１利用側熱交換器４１ａに送られる。
【０１１９】
このようにして、熱源側切換機構２３を熱源側放熱運転状態にすることによって熱源側熱交換器２４を熱源側冷媒の放熱器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として（すなわち、熱源側冷媒の蒸発器として）機能させる除霜運転を開始する。
【０１２０】
そして、所定の除霜運転終了条件を満たすかどうか（すなわち、熱源側熱交換器２４の除霜が終了したかどうか）の判定を行う（ステップＳ１３）。ここでは、熱源側熱交換器温度Ｔｈｘが所定の除霜完了温度Ｔｈｘｓに達したかどうか、又は、除霜運転開始からの経過時間である除霜運転時間ｔｄｆが所定の除霜運転設定時間ｔｄｆｓに達したかどうかによって、除霜運転終了条件を満たすかどうかを判定する。
【０１２１】
そして、除霜運転終了条件を満たしていると判定された場合には、除霜運転を終了し、給湯運転モードに戻す処理を行う（ステップＳ１４）。
【０１２２】
これにより、このヒートポンプシステム１では、熱源側熱交換器２４を除霜する際に、熱源側切換機構２３を熱源側放熱運転状態にすることによって熱源側熱交換器２４を熱源側冷媒の放熱器として機能させるだけでなく、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させるようにしているため、熱源側熱交換器２４において放熱して冷却された熱源側冷媒を、第１利用側熱交換器４１ａにおいて利用側冷媒の放熱によって加熱し、第１利用側熱交換器４１ａにおいて放熱して冷却された利用側冷媒を、冷媒−水熱交換器６５ａにおいて蒸発させることによって加熱することができ、これにより、熱源側熱交換器２４の除霜を確実に行うことができる。
【０１２３】
また、このような構成を有するヒートポンプシステム１において、給湯運転モードにおいて油回収運転が必要になった場合には、第１利用側切換機構６４ａを利用側放熱運転状態に維持したままで（すなわち、切り換えを行うことなく）、第１実施形態の変形例１の油回収運転を行うことができる。
【０１２４】
（３）変形例３
上述のヒートポンプシステム１（図１及び図３参照）では、熱源ユニット２に１つの第１利用ユニット４ａが冷媒連絡管１３、１４を介して接続されているが、図５に示されるように（ここでは、温水暖房ユニット、貯湯ユニット及び水媒体回路８０ａ、８０ｂ等の図示を省略）、複数（ここでは、２つ）の第１利用ユニット４ａ、４ｂを、冷媒連絡管１３、１４を介して、互いが並列に接続されるようにしてもよい。尚、第１利用ユニット４ｂの構成は、第１利用ユニット４ａの構成と同様であるため、第１利用ユニット４ｂの構成については、それぞれ、第１利用ユニット４ａの各部を示す符号の添字「ａ」の代わりに添字「ｂ」を付して、各部の説明を省略する。
【０１２５】
これにより、このヒートポンプシステム１では、水媒体の加熱が必要な複数の場所や用途に対応することができる。
【０１２６】
（第２実施形態）
上述の第１実施形態及びその変形例におけるヒートポンプシステム１（図１、図３及び図５参照）において、給湯運転だけでなく、室内の暖房を行うことができることが好ましい。
【０１２７】
そこで、このヒートポンプシステム２００では、上述の第１実施形態にかかるヒートポンプシステム１（図１参照）の構成において、図６に示されるように、熱源側冷媒の放熱器として機能することで空気媒体を加熱することが可能な第２利用側熱交換器１０１ａを、熱源側冷媒回路２０にさらに設けるようにしている。以下、このヒートポンプシステム２００の構成について説明する。
【０１２８】
＜構成＞
−全体−
図６は、本発明の第２実施形態にかかるヒートポンプシステム２００の概略構成図である。ヒートポンプシステム２００は、蒸気圧縮式のヒートポンプサイクルを利用して水媒体を加熱する運転等を行うことが可能な装置である。
【０１２９】
ヒートポンプシステム２００は、主として、熱源ユニット２と、第１利用ユニット４ａと、第２利用ユニット１０ａと、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａとが冷媒連絡管１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。また、利用側冷媒回路４０ａに封入される利用側冷媒の重量は、利用側圧縮機６２ａの潤滑のために封入される冷凍機油の重量の１倍から３倍となっている。そして、ＨＦＣ−１３４ａは、このような飽和圧力特性を有する冷媒の一種である。また、水媒体回路８０ａには、水媒体としての水が循環するようになっている。
【０１３０】
尚、以下の構成に関する説明では、第１実施形態におけるヒートポンプシステム１（図１参照）と同様の構成を有する熱源ユニット２、第１利用ユニット４ａ、貯湯ユニット８ａ、温水暖房ユニット９ａ、液冷媒連絡管１３、ガス冷媒連絡管１４及び水媒体連絡管１５ａ、１６ａの構成については、同じ符号を付して説明を省略し、第２利用ユニット１０ａの構成のみについて説明を行う。
【０１３１】
−第２利用ユニット−
第２利用ユニット１０ａは、屋内に設置されており、冷媒連絡管１３、１４を介して熱源ユニット２に接続されており、熱源側冷媒回路２０の一部を構成している。
【０１３２】
第２利用ユニット１０ａは、主として、第２利用側熱交換器１０１ａと第２利用側流量調節弁１０２ａとを有している。
【０１３３】
第２利用側熱交換器１０１ａは、熱源側冷媒と空気媒体としての室内空気との熱交換を行うことで熱源側冷媒の放熱器又は蒸発器として機能する熱交換器であり、その液側に第２利用側液冷媒管１０３ａが接続されており、そのガス側に第２利用側ガス冷媒管１０４ａが接続されている。第２利用側液冷媒管１０３ａには、液冷媒連絡管１３が接続されており、第２利用側ガス冷媒管１０４ａには、ガス冷媒連絡管１４が接続されている。この第２利用側熱交換器１０１ａにおいて熱源側冷媒と熱交換を行う空気媒体は、利用側ファンモータ１０６ａによって駆動される利用側ファン１０５ａによって供給されるようになっている。
【０１３４】
第２利用側流量調節弁１０２ａは、開度制御を行うことで第２利用側熱交換器１０１ａを流れる熱源側冷媒の流量を可変することが可能な電動膨張弁であり、第２利用側液冷媒管１０３ａに設けられている。
【０１３５】
これにより、第２利用ユニット１０ａは、熱源側切換機構２３が熱源側放熱運転状態において、第２利用側熱交換器１０１ａを液冷媒連絡管１３から導入される熱源側冷媒の蒸発器として機能させることで、第２利用側熱交換器１０１ａにおいて蒸発した熱源側冷媒をガス冷媒連絡管１４に導出し、第２利用側熱交換器１０１ａにおける熱源側冷媒の蒸発によって空気媒体を冷却する冷房運転を行うことが可能になっており、熱源側切換機構２３が熱源側蒸発運転状態において第２利用側熱交換器１０１ａがガス冷媒連絡管１４から導入される熱源側冷媒の放熱器として機能して、第２利用側熱交換器１０１ａにおいて放熱した熱源側冷媒を液冷媒連絡管１３に導出し、第２利用側熱交換器１０１ａにおける熱源側冷媒の放熱によって空気媒体を加熱する暖房運転を行うことが可能になっている。
【０１３６】
また、第２利用ユニット１０ａには、各種のセンサが設けられている。具体的には、第２利用ユニット１０ａには、室内温度Ｔｒを検出する室内温度センサ１０７ａが設けられている。
【０１３７】
＜動作＞
次に、ヒートポンプシステム２００の動作について説明する。
【０１３８】
ヒートポンプシステム２００の運転モードとしては、第１利用ユニット４ａの給湯運転（すなわち、貯湯ユニット８ａ及び／又は温水暖房ユニット９ａの運転）のみを行う給湯運転モードと、第２利用ユニット１０ａの冷房運転のみを行う冷房運転モードと、第２利用ユニット１０ａの暖房運転のみを行う暖房運転モードと、第１利用ユニット４ａの給湯運転を行うとともに第２利用ユニット１０ａの暖房運転を行う給湯暖房運転モードとがある。
【０１３９】
以下、ヒートポンプシステム２００の４つの運転モードにおける動作について説明する。
【０１４０】
−給湯運転モード−
第１利用ユニット４ａの給湯運転のみを行う場合には、熱源側冷媒回路２０においては、熱源側切換機構２３が熱源側蒸発運転状態（図７の熱源側切換機構２３の破線で示された状態）に切り換えられ、吸入戻し膨張弁２６ａ及び第２利用側流量調節弁１０２ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。
【０１４１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１４２】
ガス冷媒連絡管１４に送られた高圧の熱源側冷媒は、第１利用ユニット４ａに送られる。第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０１４３】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１４４】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０１４５】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０１４６】
このようにして、第１利用ユニット４ａの給湯運転のみを行う給湯運転モードにおける動作が行われる。
【０１４７】
−冷房運転モード−
第２利用ユニット１０ａの冷房運転のみを行う場合には、熱源側冷媒回路２０においては、熱源側切換機構２３が熱源側放熱運転状態（図７の熱源側切換機構２３の実線で示された状態）に切り換えられ、第１利用側流量調節弁４２ａが閉止された状態になる。
【０１４８】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０１４９】
液冷媒連絡管１３に送られた高圧の熱源側冷媒は、第２利用ユニット１０ａに送られる。第２利用ユニット１０ａに送られた高圧の熱源側冷媒は、第２利用側流量調節弁１０２ａに送られる。第２利用側流量調節弁１０２ａに送られた高圧の熱源側冷媒は、第２利用側流量調節弁１０２ａにおいて減圧されて、低圧の気液二相状態になり、第２利用側液冷媒管１０３ａを通じて第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発し、これにより、室内の冷房を行う。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【０１５０】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１５１】
このようにして、第２利用ユニット１０ａの冷房運転のみを行う冷房運転モードにおける動作が行われる。
【０１５２】
−暖房運転モード−
第２利用ユニット１０ａの暖房運転のみを行う場合には、熱源側冷媒回路２０においては、熱源側切換機構２３が熱源側放熱運転状態（図７の熱源側切換機構２３の破線で示された状態）に切り換えられ、吸入戻し膨張弁２６ａ及び第１利用側流量調節弁４２ａが閉止された状態になる。
【０１５３】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１５４】
ガス冷媒連絡管１４に送られた高圧の熱源側冷媒は、第２利用ユニット１０ａに送られる。第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【０１５５】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１５６】
このようにして、第２利用ユニット１０ａの暖房運転のみを行う暖房運転モードにおける動作が行われる。
【０１５７】
−給湯暖房運転モード−
第１利用ユニット４ａの給湯運転を行うとともに第２利用ユニット１０ａの暖房運転を行う場合には、熱源側冷媒回路２０においては、熱源側切換機構２３が熱源側蒸発運転状態（図７の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。
【０１５８】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１５９】
ガス冷媒連絡管１４に送られた高圧の熱源側冷媒は、第１利用ユニット４ａ及び第２利用ユニット１０ａに送られる。
【０１６０】
第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【０１６１】
第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０１６２】
第２利用ユニット１０ａ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１６３】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０１６４】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０１６５】
このようにして、第１利用ユニット４ａの給湯運転を行うとともに第２利用ユニット１０ａの暖房運転を行う給湯暖房運転モードにおける動作が行われる。
【０１６６】
尚、給湯運転用の第１利用ユニット４ａと冷暖房運転用の第２利用ユニット１０ａとが熱源ユニット２に接続されたヒートポンプシステム２００の構成においても、第１実施形態におけるヒートポンプシステム１（図１参照）と同様に、各冷媒回路２０、４０ａの吐出飽和温度制御及び各熱交換器４１ａ、６５ａ出口の過冷却度制御が行われる。
【０１６７】
これにより、このヒートポンプシステム２００では、第１実施形態におけるヒートポンプシステム１と同様の作用効果を得ることができるとともに、第２利用側熱交換器１０１ａを有する第２利用ユニット１０ａが設けられており、第２利用側熱交換器１０１ａにおける熱源側冷媒の放熱によって空気媒体を加熱する運転（ここでは、暖房運転）や第２利用側熱交換器１０１ａにおける熱源側冷媒の蒸発によって空気媒体を冷却する運転（ここでは、冷房運転）を行うことができるようになっているため、第１利用側熱交換器４１ａ及び利用側冷媒回路４０ａにおいて加熱された水媒体を給湯に使用するだけでなく、第２利用熱交換器１０１ａにおいて加熱された空気媒体を室内の暖房に使用することができる。
【０１６８】
（１）変形例１
上述のヒートポンプシステム２００（図６参照）のような、給湯運転用の第１利用ユニット４ａと冷暖房運転用の第２利用ユニット１０ａとが熱源ユニット２に接続された構成においても、第１実施形態の変形例１におけるヒートポンプシステム１（図１参照）と同様に、利用側圧縮機６２ａの吐出に油分離機構が設けられていないため、利用側冷媒とともに冷凍機油が、利用側冷媒の放熱器として機能する冷媒−水熱交換器６５ａ内に導入されやすく、しかも、高温条件下では、冷媒−水熱交換器６５ａ内において、液状態の利用側冷媒と冷凍機油との二相分離が発生しやすいことから、利用側冷媒の放熱器として機能する冷媒−水熱交換器６５ａ内に冷凍機油が溜まり込みやすい。また、冷媒−水熱交換器６５ａ出口の過冷却度制御を行っている場合には、利用側冷媒過冷却度ＳＣ２に応じた量の液状態の利用側冷媒が冷媒−水熱交換器６５ａ内に溜まることになるため、液状態の利用側冷媒と冷凍機油との二相分離がさらに発生しやすい状態にある。
【０１６９】
そこで、このヒートポンプシステム２００においても、第１実施形態におけるヒートポンプシステム１（図１参照）と同様の油回収運転制御（図２参照）を行うようにしている。
【０１７０】
これにより、利用側圧縮機６２ａにおける冷凍機油不足が発生しないようにすることができる。また、この油回収運転中は、冷媒−水熱交換器６５ａを利用側冷媒の放熱器として機能させて水冷媒を加熱する運転を継続することができ、これにより、油回収運転を行うことによる給湯運転や給湯暖房運転への悪影響を極力小さくすることができる。
【０１７１】
（２）変形例２
上述のヒートポンプシステム２００（図６参照）のような、給湯運転用の第１利用ユニット４ａと冷暖房運転用の第２利用ユニット１０ａとが熱源ユニット２に接続された構成においても、第１実施形態の変形例２におけるヒートポンプシステム１（図３参照）と同様に、図７に示されるように、冷媒−水熱交換器６５ａを利用側冷媒の放熱器として機能させるとともに第１利用側熱交換器４１ａを利用側冷媒の蒸発器として機能させる利用側放熱運転状態と冷媒−水熱交換器６５ａを利用側冷媒の蒸発器として機能させるとともに第１利用側熱交換器４１ａを利用側冷媒の放熱器として機能させる利用側蒸発運転状態とを切り換えることが可能な第１利用側切換機構６４ａを利用側冷媒回路４０ａにさらに設けるようにしてもよい。
【０１７２】
このような構成を有するヒートポンプシステム２００では、給湯運転モード、暖房運転モードや給湯暖房運転モードにおける動作によって、熱源側熱交換器２４の除霜が必要であると判定された場合には、熱源側切換機構２３を熱源側放熱運転状態にすることによって熱源側熱交換器２４を熱源側冷媒の放熱器として機能させ、かつ、第２利用側熱交換器１０１ａを熱源側冷媒の蒸発器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させる除霜運転を行うことができる。
【０１７３】
以下、この除霜運転における動作について図４を用いて説明する。
【０１７４】
まず、所定の除霜運転開始条件を満たすかどうか（すなわち、熱源側熱交換器２４の除霜が必要であるかどうか）の判定を行う（ステップＳ１１）。ここでは、除霜時間間隔Δｔｄｆ（すなわち、前回の除霜運転終了からの積算運転時間）が所定の除霜時間間隔設定値Δｔｄｆｓに達したかどうかによって、除霜運転開始条件を満たすかどうかを判定する。
【０１７５】
そして、除霜運転開始条件を満たしていると判定された場合には、以下の除霜運転を開始する（ステップＳ１２）。
【０１７６】
除霜運転を開始する際には、熱源側冷媒回路２０においては、熱源側切換機構２３が熱源側放熱運転状態（図７の熱源側切換機構２３の実線で示された状態）に切り換えられ、利用側冷媒回路４０ａにおいては、第１利用側切換機構６４ａが利用側蒸発運転状態（図７の第１利用側切換機構６４ａの破線で示された状態）に切り換えられ、吸入戻し膨張弁２６ａが閉止された状態になる。
【０１７７】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側熱交換器２４に付着した氷と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、吸入戻し管２６に熱源側冷媒が流れていないため、熱交換を行うことなく、熱源側液冷媒管２４ａ及び液側閉鎖弁２９を通じて、熱源ユニット２から液冷媒連絡管１３に送られる。
【０１７８】
液冷媒連絡管１３に送られた熱源側冷媒は、液冷媒連絡管１３において分岐して、第１利用ユニット４ａ及び第２利用ユニット１０ａに送られる。
【０１７９】
第２利用ユニット１０ａに送られた熱源側冷媒は、第２利用側流量調節弁１０２ａに送られる。第２利用側流量調節弁１０２ａに送られた熱源側冷媒は、第２利用側流量調節弁１０２ａにおいて減圧されて、低圧の気液二相状態になり、第２利用側液冷媒管１０３ａを通じて、第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発する。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【０１８０】
第１利用ユニット４ａに送られた熱源側冷媒は、第１利用側流量調節弁４２ａに送られる。第１利用側流量調節弁４２ａに送られた熱源側冷媒は、第１利用側流量調節弁４２ａにおいて減圧されて、低圧の気液二相状態になり、第１利用側液冷媒管４５ａを通じて、第１利用側熱交換器４１ａに送られる。第１利用側熱交換器４１ａに送られた低圧の熱源側冷媒は、第１利用側熱交換器４１ａにおいて、利用側冷媒回路４０ａを循環する冷凍サイクルにおける高圧の利用側冷媒と熱交換を行って蒸発する。第１利用側熱交換器４１ａにおいて蒸発した低圧の熱源側冷媒は、第１利用側ガス冷媒管５４ａを通じて、第１利用ユニット４ａからガス冷媒連絡管１４に送られる。
【０１８１】
第２利用ユニット１０ａ及び第１利用ユニット４ａからガス冷媒連絡管１４に送られた熱源側冷媒は、ガス冷媒連絡管１４において合流して、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１８２】
一方、利用側冷媒回路４０ａにおいては、第１利用側熱交換器４１ａにおける熱源側冷媒の蒸発によって利用側冷媒回路４０ａを循環する冷凍サイクルにおける高圧の利用側冷媒が放熱する。第１利用側熱交換器４１ａにおいて放熱した高圧の利用側冷媒は、冷媒−水熱交側流量調節弁６６ａに送られる。冷媒−水熱交側流量調節弁６６ａに送られた高圧の利用側冷媒は、冷媒−水熱交側流量調節弁６６ａにおいて減圧されて、低圧の気液二相状態になり、カスケード側液冷媒管６８ａを通じて、冷媒−水熱交換器６５ａに送られる。冷媒−水熱交換器６５ａに送られた低圧の利用側冷媒は、冷媒−水熱交換器６５ａにおいて、循環ポンプ４３ａによって水媒体回路８０ａを循環する水媒体と熱交換を行って蒸発する。冷媒−水熱交換器６５ａにおいて蒸発した低圧の利用側冷媒は、第１カスケード側ガス冷媒管７２ａ及び第１利用側切換機構６４ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１利用側切換機構６４ａ及び第２カスケード側ガス冷媒管６９ａを通じて、再び、第１利用側熱交換器４１ａに送られる。
【０１８３】
このようにして、熱源側切換機構２３を熱源側放熱運転状態にすることによって熱源側熱交換器２４を熱源側冷媒の放熱器として機能させ、かつ、第２利用側熱交換器１０１ａを熱源側冷媒の蒸発器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として（すなわち、熱源側冷媒の蒸発器として）機能させる除霜運転を開始する。
【０１８４】
そして、所定の除霜運転終了条件を満たすかどうか（すなわち、熱源側熱交換器２４の除霜が終了したかどうか）の判定を行う（ステップＳ１３）。ここでは、熱源側熱交換器温度Ｔｈｘが所定の除霜完了温度Ｔｈｘｓに達したかどうか、又は、除霜運転開始からの経過時間である除霜運転時間ｔｄｆが所定の除霜運転設定時間ｔｄｆｓに達したかどうかによって、除霜運転終了条件を満たすかどうかを判定する。
【０１８５】
そして、除霜運転終了条件を満たしていると判定された場合には、除霜運転を終了し、給湯運転モードに戻す処理を行う（ステップＳ１４）。
【０１８６】
これにより、このヒートポンプシステム２００では、熱源側熱交換器２４を除霜する際に、熱源側切換機構２３を熱源側放熱運転状態にすることによって熱源側熱交換器２４を熱源側冷媒の放熱器として機能させるだけでなく、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させるようにしているため、熱源側熱交換器２４において放熱して冷却された熱源側冷媒を、第１利用側熱交換器４１ａにおいて利用側冷媒の放熱によって加熱し、第１利用側熱交換器４１ａにおいて放熱して冷却された利用側冷媒を、冷媒−水熱交換器６５ａにおいて蒸発させることによって加熱することができ、これにより、熱源側熱交換器２４の除霜を確実に行うことができる。しかも、第２利用側熱交換器１０１ａも熱源側冷媒の蒸発器として機能させるようにしているため、除霜運転時間ｔｄｆを短縮することができ、また、第２利用ユニット１０ａにおいて冷却される空気媒体の温度が低くなることを抑えることができる。
【０１８７】
また、このような構成を有するヒートポンプシステム２００において、給湯運転モードや給湯暖房運転モードにおいて油回収運転が必要になった場合には、第１利用側切換機構６４ａを利用側放熱運転状態に維持したままで（すなわち、切り換えを行うことなく）、第１実施形態の変形例１の油回収運転を行うことができる。
【０１８８】
（３）変形例３
上述のヒートポンプシステム２００（図６及び図７参照）では、熱源ユニット２に１つの第１利用ユニット４ａと１つの第２利用ユニット１０ａとが冷媒連絡管１３、１４を介して接続されているが、図８〜図１０に示されるように（ここでは、温水暖房ユニット、貯湯ユニット及び水媒体回路８０ａ、８０ｂ等の図示を省略）、複数（ここでは、２つ）の第１利用ユニット４ａ、４ｂを、冷媒連絡管１３、１４を介して、互いが並列に接続されるようにしたり、及び／又は、複数（ここでは、２つ）の第２利用ユニット１０ａ、１０ｂを、冷媒連絡管１３、１４を介して、互いが並列に接続されるようにしてもよい。尚、第１利用ユニット４ｂの構成は、第１利用ユニット４ａの構成と同様であるため、第１利用ユニット４ｂの構成については、それぞれ、第１利用ユニット４ａの各部を示す符号の添字「ａ」の代わりに添字「ｂ」を付して、各部の説明を省略する。また、第２利用ユニット１０ｂの構成は、第２利用ユニット１０ａの構成と同様であるため、第２利用ユニット１０ｂの構成については、それぞれ、第２利用ユニット１０ａの各部を示す符号の添字「ａ」の代わりに添字「ｂ」を付して、各部の説明を省略する。
【０１８９】
これにより、これらのヒートポンプシステム２００では、水媒体の加熱が必要な複数の場所や用途に対応することができ、また、空気媒体の冷却が必要な複数の場所や用途に対応することができる。
【０１９０】
（４）変形例４
上述のヒートポンプシステム２００（図６〜図１０参照）では、第２利用ユニット１０ａ、１０ｂ内に第２利用側流量調節弁１０２ａ、１０２ｂが設けられているが、図１１に示されるように（ここでは、温水暖房ユニット、貯湯ユニット及び水媒体回路８０ａ等の図示を省略）、第２利用ユニット１０ａ、１０ｂから第２利用側流量調節弁１０２ａ、１０２ｂを省略して、第２利用側流量調節弁１０２ａ、１０２ｂを有する膨張弁ユニット１７を設けるようにしてもよい。
【０１９１】
（第３実施形態）
上述の第２実施形態及びその変形例におけるヒートポンプシステム２００（図６〜図１１参照）においては、第１利用ユニット４ａの給湯運転を行うとともに第２利用ユニット１０ａの冷房運転を行うことができないため、このような給湯冷房運転を行うことができれば、夏期等の冷房運転が行われている運転状態において、給湯運転を行うことができるようになるため、好ましい。
【０１９２】
そこで、このヒートポンプシステム３００では、上述の第２実施形態にかかるヒートポンプシステム２００（図６参照）の構成において、図１２に示されるように、第２利用側熱交換器１０１ａを熱源側冷媒の蒸発器として機能させることで空気媒体を冷却するとともに、第１利用側熱交換器４１ａを熱源側冷媒の放熱器として機能させることで水媒体を加熱する運転である給湯冷房運転を行うことができるようにしている。以下、このヒートポンプシステム３００の構成について説明する。
【０１９３】
＜構成＞
−全体−
図１２は、本発明の第３実施形態にかかるヒートポンプシステム３００の概略構成図である。ヒートポンプシステム３００は、蒸気圧縮式のヒートポンプサイクルを利用して水媒体を加熱する運転等を行うことが可能な装置である。
【０１９４】
ヒートポンプシステム３００は、主として、熱源ユニット２と、第１利用ユニット４ａと、第２利用ユニット１０ａと、吐出冷媒連絡管１２と、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａとが冷媒連絡管１２、１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。また、利用側冷媒回路４０ａに封入される利用側冷媒の重量は、利用側圧縮機６２ａの潤滑のために封入される冷凍機油の重量の１倍から３倍となっている。そして、ＨＦＣ−１３４ａは、このような飽和圧力特性を有する冷媒の一種である。また、水媒体回路８０ａには、水媒体としての水が循環するようになっている。
【０１９５】
尚、以下の構成に関する説明では、第２実施形態におけるヒートポンプシステム２００（図６参照）と同様の構成を有する第２利用ユニット１０ａ、貯湯ユニット８ａ、温水暖房ユニット９ａ、液冷媒連絡管１３、ガス冷媒連絡管１４及び水媒体連絡管１５ａ、１６ａの構成については、同じ符号を付して説明を省略し、熱源ユニット２、吐出冷媒連絡管１２、及び、第１利用ユニット４ａの構成のみについて説明を行う。
【０１９６】
−熱源ユニット−
熱源ユニット２は、屋外に設置されており、冷媒連絡管１２、１３、１４を介して利用ユニット４ａ、１０ａに接続されており、熱源側冷媒回路２０の一部を構成している。
【０１９７】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０と、吐出側閉鎖弁３１とを有している。
【０１９８】
ここで、吐出側閉鎖弁３１は、熱源側圧縮機２１の吐出と熱源側切換機構２３とを接続する熱源側吐出管２１ｂから分岐された熱源側吐出分岐管２１ｄとガス冷媒連絡管１４との接続部に設けられた弁である。
【０１９９】
尚、熱源ユニット２は、吐出側閉鎖弁３１及び熱源側吐出分岐管２１ｄを有する点を除いた構成については、第２実施形態におけるヒートポンプシステム２００（図６参照）と同様であるため、ここでは、同じ符号を付して説明を省略する。
【０２００】
−吐出冷媒連絡管−
吐出冷媒連絡管１２は、吐出側閉鎖弁３１を介して熱源側吐出分岐管２１ｄに接続されており、熱源側切換機構２３が熱源側放熱運転状態及び熱源側蒸発運転状態のいずれにおいても熱源側圧縮機２１の吐出から熱源ユニット２外に熱源側冷媒を導出することが可能な冷媒管である。
【０２０１】
−第１利用ユニット−
第１利用ユニット４ａは、屋内に設置されており、冷媒連絡管１２、１３を介して熱源ユニット２及び第２利用ユニット１０ａに接続されており、熱源側冷媒回路２０の一部を構成している。また、第１利用ユニット４ａは、利用側冷媒回路４０ａを構成している。さらに、第１利用ユニット４ａは、水媒体連絡管１５ａ、１６ａを介して貯湯ユニット８ａ及び温水暖房ユニット９ａに接続されており、水媒体回路８０ａの一部を構成している。
【０２０２】
第１利用ユニット４ａは、主として、第１利用側熱交換器４１ａと、第１利用側流量調節弁４２ａと、利用側圧縮機６２ａと、冷媒−水熱交換器６５ａと、冷媒−水熱交側流量調節弁６６ａと、利用側アキュムレータ６７ａと、循環ポンプ４３ａとを有している。
【０２０３】
ここで、第１利用側熱交換器４１ａには、その熱源側冷媒が流れる流路のガス側に、第２実施形態におけるヒートポンプシステム２００（図６参照）のようなガス冷媒連絡管１４に接続された第１利用側ガス冷媒管５４ａに代えて、吐出冷媒連絡管１２が接続された第１利用側吐出冷媒管４６ａが接続されている。第１利用側吐出冷媒管４６ａには、吐出冷媒連絡管１２から第１利用側熱交換器４１ａへ向かう熱源側冷媒の流れを許容し、第１利用側熱交換器４１ａから吐出冷媒連絡管１２へ向かう熱源側冷媒の流れを禁止する第１利用側吐出逆止弁４９ａが設けられている。
【０２０４】
尚、利用ユニット４ａは、第１利用側ガス冷媒管５４ａに代えて、第１利用側吐出冷媒管４６ａが接続されている点を除いた構成については、第２実施形態におけるヒートポンプシステム２００（図６参照）と同様であるため、ここでは、同じ符号を付して説明を省略する。
【０２０５】
＜動作＞
次に、ヒートポンプシステム３００の動作について説明する。
【０２０６】
ヒートポンプシステム３００の運転モードとしては、第１利用ユニット４ａの給湯運転（すなわち、貯湯ユニット８ａ及び／又は温水暖房ユニット９ａの運転）のみを行う給湯運転モードと、第２利用ユニット１０ａの冷房運転のみを行う冷房運転モードと、第２利用ユニット１０ａの暖房運転のみを行う暖房運転モードと、第１利用ユニット４ａの給湯運転を行うとともに第２利用ユニット１０ａの暖房運転を行う給湯暖房運転モードと、第１利用ユニット４ａの給湯運転を行うとともに第２利用ユニット１０ａの冷房運転を行う給湯冷房運転モードとがある。
【０２０７】
以下、ヒートポンプシステム３００の５つの運転モードにおける動作について説明する。
【０２０８】
−給湯運転モード−
第１利用ユニット４ａの給湯運転のみを行う場合には、熱源側冷媒回路２０においては、熱源側切換機構２３が熱源側蒸発運転状態（図１２の熱源側切換機構２３の破線で示された状態）に切り換えられ、吸入戻し膨張弁２６ａ及び第２利用側流量調節弁１０２ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。
【０２０９】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側吐出分岐管２１ｄ及び吐出側閉鎖弁３１を通じて、熱源ユニット２から吐出冷媒連絡管１２に送られる。
【０２１０】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２１１】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２１２】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２１３】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２１４】
このようにして、第１利用ユニット４ａの給湯運転のみを行う給湯運転モードにおける動作が行われる。
【０２１５】
−冷房運転モード−
第２利用ユニット１０ａの冷房運転のみを行う場合には、熱源側冷媒回路２０においては、熱源側切換機構２３が熱源側放熱運転状態（図１２の熱源側切換機構２３の実線で示された状態）に切り換えられ、第１利用側流量調節弁４２ａが閉止された状態になる。
【０２１６】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０２１７】
液冷媒連絡管１３に送られた高圧の熱源側冷媒は、第２利用ユニット１０ａに送られる。第２利用ユニット１０ａに送られた高圧の熱源側冷媒は、第２利用側流量調節弁１０２ａに送られる。第２利用側流量調節弁１０２ａに送られた高圧の熱源側冷媒は、第２利用側流量調節弁１０２ａにおいて減圧されて、低圧の気液二相状態になり、第２利用側液冷媒管１０３ａを通じて第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発し、これにより、室内の冷房を行う。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【０２１８】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２１９】
このようにして、第２利用ユニット１０ａの冷房運転のみを行う冷房運転モードにおける動作が行われる。
【０２２０】
−暖房運転モード−
第２利用ユニット１０ａの暖房運転のみを行う場合には、熱源側冷媒回路２０においては、熱源側切換機構２３が熱源側放熱運転状態（図１２の熱源側切換機構２３の破線で示された状態）に切り換えられ、吸入戻し膨張弁２６ａ及び第１利用側流量調節弁４２ａが閉止された状態になる。
【０２２１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０２２２】
ガス冷媒連絡管１４に送られた高圧の熱源側冷媒は、第２利用ユニット１０ａに送られる。第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【０２２３】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２２４】
このようにして、第２利用ユニット１０ａの暖房運転のみを行う暖房運転モードにおける動作が行われる。
【０２２５】
−給湯暖房運転モード−
第１利用ユニット４ａの給湯運転を行うとともに第２利用ユニット１０ａの暖房運転を行う場合には、熱源側冷媒回路２０においては、熱源側切換機構２３が熱源側蒸発運転状態（図１２の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。
【０２２６】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３、第２熱源側ガス冷媒管２３ｂ及びガス側閉鎖弁３０を通じて、熱源ユニット２からガス冷媒連絡管１４に送られる。
【０２２７】
ガス冷媒連絡管１４に送られた高圧の熱源側冷媒は、第２利用ユニット１０ａに送られる。第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【０２２８】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２２９】
第２利用ユニット１０ａ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２３０】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２３１】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２３２】
このようにして、第１利用ユニット４ａの給湯運転を行うとともに第２利用ユニット１０ａの暖房運転を行う給湯暖房運転モードにおける動作が行われる。
【０２３３】
−給湯冷房運転モード−
第１利用ユニット４ａの給湯運転を行うとともに第２利用ユニット１０ａの冷房運転を行う場合には、熱源側冷媒回路２０においては、熱源側切換機構２３が熱源側放熱運転状態（図１２の熱源側切換機構２３の実線で示された状態）に切り換えられる。また、水媒体回路８０ａにおいては、水媒体切換機構１６１ａが貯湯ユニット８ａに水媒体を供給する状態に切り換えられる。
【０２３４】
このような状態の熱源側冷媒回路２０において、冷凍サイクルにおける低圧の熱源側冷媒は、熱源側吸入管２１ｃを通じて熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０２３５】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２３６】
熱源ユニット２及び第１利用ユニット４ａから液冷媒連絡管１３に送られた熱源側冷媒は、液冷媒連絡管１３において合流して、第２利用ユニット１０ａに送られる。第２利用ユニット１０ａに送られた熱源側冷媒は、第２利用側流量調節弁１０２ａに送られる。第２利用側流量調節弁１０２ａに送られた熱源側冷媒は、第２利用側流量調節弁１０２ａにおいて減圧されて、低圧の気液二相状態になり、第２利用側液冷媒管１０３ａを通じて第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発し、これにより、室内の冷房を行う。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【０２３７】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２３８】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２３９】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。
【０２４０】
このようにして、第１利用ユニット４ａの給湯運転を行うとともに第２利用ユニット１０ａの冷房運転を行う給湯冷房運転モードにおける動作が行われる。
【０２４１】
ここで、給湯運転用の第１利用ユニット４ａと冷暖房運転用の第２利用ユニット１０ａとが給湯冷房運転が可能になるように熱源ユニット２に接続されたヒートポンプシステム３００の構成においても、第２実施形態におけるヒートポンプシステム２００（図６参照）と同様に、各冷媒回路２０、４０ａの吐出飽和温度制御及び各熱交換器４１ａ、６５ａ出口の過冷却度制御が行われる。
【０２４２】
これにより、このヒートポンプシステム３００では、第２実施形態におけるヒートポンプシステム２００と同様の作用効果を得ることができるだけでなく、第１利用側熱交換器４１ａ及び利用側冷媒回路４０ａによって水媒体を加熱する運転を行うとともに、水媒体を加熱することによって熱源側冷媒が得た冷却熱を、第２利用側熱交換器１０１ａにおける熱源側冷媒の蒸発によって空気媒体を冷却する運転に利用することができるようになっているため、例えば、第１利用側熱交換器４１ａ及び利用側冷媒回路４０ａによって加熱された水媒体を給湯に使用するとともに第２利用側熱交換器１０１ａにおいて冷却された空気媒体を室内の冷房に使用する等のように、水媒体を加熱することによって熱源側冷媒が得た冷却熱を有効利用することができ、これにより、省エネルギー化を図ることができる。
【０２４３】
（１）変形例１
上述のヒートポンプシステム３００（図１２参照）のような、給湯運転用の第１利用ユニット４ａと冷暖房運転用の第２利用ユニット１０ａとが給湯冷房運転が可能になるように熱源ユニット２に接続された構成においても、第２実施形態の変形例１におけるヒートポンプシステム２００（図６参照）と同様に、利用側圧縮機６２ａの吐出に油分離機構が設けられていないため、利用側冷媒とともに冷凍機油が、利用側冷媒の放熱器として機能する冷媒−水熱交換器６５ａ内に導入されやすく、しかも、高温条件下では、冷媒−水熱交換器６５ａ内において、液状態の利用側冷媒と冷凍機油との二相分離が発生しやすいことから、利用側冷媒の放熱器として機能する冷媒−水熱交換器６５ａ内に冷凍機油が溜まり込みやすい。また、冷媒−水熱交換器６５ａ出口の過冷却度制御を行っている場合には、利用側冷媒過冷却度ＳＣ２に応じた量の液状態の利用側冷媒が冷媒−水熱交換器６５ａ内に溜まることになるため、液状態の利用側冷媒と冷凍機油との二相分離がさらに発生しやすい状態にある。
【０２４４】
そこで、このヒートポンプシステム３００においても、第２実施形態におけるヒートポンプシステム２００（図６参照）と同様の油回収運転制御（図２参照）を行うようにしている。
【０２４５】
これにより、利用側圧縮機６２ａにおける冷凍機油不足が発生しないようにすることができる。また、この油回収運転中は、冷媒−水熱交換器６５ａを利用側冷媒の放熱器として機能させて水冷媒を加熱する運転を継続することができ、これにより、油回収運転を行うことによる給湯運転、給湯暖房運転や給湯冷房運転への悪影響を極力小さくすることができる。
【０２４６】
（２）変形例２
上述のヒートポンプシステム３００（図１２参照）において、図１３に示されるように、冷媒−水熱交換器６５ａを利用側冷媒の放熱器として機能させるとともに第１利用側熱交換器４１ａを利用側冷媒の蒸発器として機能させる利用側放熱運転状態と冷媒−水熱交換器６５ａを利用側冷媒の蒸発器として機能させるとともに第１利用側熱交換器４１ａを利用側冷媒の放熱器として機能させる利用側蒸発運転状態とを切り換えることが可能な第１利用側切換機構６４ａ（第２実施形態におけるヒートポンプシステム２００に設けられた第１利用側切換機構６４ａと同様）を利用側冷媒回路４０ａにさらに設け、第１利用ユニット４ａをガス冷媒連絡管１４にさらに接続し、第１利用側熱交換器４１ａを吐出冷媒連絡管１２から導入される熱源側冷媒の放熱器として機能させる水媒体加熱運転状態と第１利用側熱交換器４１ａを液冷媒連絡管１３から導入される熱源側冷媒の蒸発器として機能させる水媒体冷却運転状態とを切り換えることが可能な第２利用側切換機構５３ａをさらに設けるようにしてもよい。
【０２４７】
ここで、第１利用側熱交換器４１ａの熱源側冷媒が流れる流路のガス側には、第１利用側吐出冷媒管４６ａとともに、第１利用側ガス冷媒管５４ａが接続されている。第１利用側ガス冷媒管５４ａには、ガス冷媒連絡管１４に接続されている。第２利用側切換機構５３ａは、第１利用側吐出冷媒管４６ａに設けられた第１利用側吐出開閉弁５５ａ（ここでは、第１利用側吐出逆止弁４９ａを省略）と、第１利用側ガス冷媒管５４ａに設けられた第１利用側ガス開閉弁５６ａとを有しており、第１利用側吐出開閉弁５５ａを開け、かつ、第１利用側ガス開閉弁５６ａを閉止することによって水媒体加熱運転状態とし、第１利用側吐出開閉弁５５ａを閉止し、かつ、第１利用側ガス開閉弁５６ａを開けることによって水媒体冷却運転状態とするものである。第１利用側吐出開閉弁５５ａ及び第１利用側ガス開閉弁５６ａは、いずれも開閉制御が可能な電磁弁からなる。尚、第２利用側切換機構５３ａは、三方弁等によって構成してもよい。
【０２４８】
このような構成を有するヒートポンプシステム３００では、給湯運転モード、暖房運転モード及び給湯暖房運転モードにおける動作によって、熱源側熱交換器２４の除霜が必要であると判定された場合には、熱源側切換機構２３を熱源側放熱運転状態にすることによって熱源側熱交換器２４を熱源側冷媒の放熱器として機能させ、かつ、第２利用側熱交換器１０１ａを熱源側冷媒の蒸発器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させる除霜運転を行うことができる。
【０２４９】
以下、この除霜運転における動作について図４を用いて説明する。
【０２５０】
まず、所定の除霜運転開始条件を満たすかどうか（すなわち、熱源側熱交換器２４の除霜が必要であるかどうか）の判定を行う（ステップＳ１１）。ここでは、除霜時間間隔Δｔｄｆ（すなわち、前回の除霜運転終了からの積算運転時間）が所定の除霜時間間隔設定値Δｔｄｆｓに達したかどうかによって、除霜運転開始条件を満たすかどうかを判定する。
【０２５１】
そして、除霜運転開始条件を満たしていると判定された場合には、以下の除霜運転を開始する（ステップＳ１２）。
【０２５２】
除霜運転を開始する際には、熱源側冷媒回路２０においては、熱源側切換機構２３が熱源側放熱運転状態（図１３の熱源側切換機構２３の実線で示された状態）に切り換えられ、利用側冷媒回路４０ａにおいては、第１利用側切換機構６４ａが利用側蒸発運転状態（図１３の第１利用側切換機構６４ａの破線で示された状態）に切り換えられ、第２利用側切換機構５３ａが水媒体冷却運転状態（すなわち、第１利用側吐出開閉弁５５ａを閉止し、かつ、第１利用側ガス開閉弁５６ａを開けた状態）に切り換えられ、吸入戻し膨張弁２６ａが閉止された状態になる。
【０２５３】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側熱交換器２４に付着した氷と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、吸入戻し管２６に熱源側冷媒が流れていないため、熱交換を行うことなく、熱源側液冷媒管２４ａ及び液側閉鎖弁２９を通じて、熱源ユニット２から液冷媒連絡管１３に送られる。
【０２５４】
液冷媒連絡管１３に送られた熱源側冷媒は、液冷媒連絡管１３において分岐して、第１利用ユニット４ａ及び第２利用ユニット１０ａに送られる。
【０２５５】
第２利用ユニット１０ａに送られた熱源側冷媒は、第２利用側流量調節弁１０２ａに送られる。第２利用側流量調節弁１０２ａに送られた熱源側冷媒は、第２利用側流量調節弁１０２ａにおいて減圧されて、低圧の気液二相状態になり、第２利用側液冷媒管１０３ａを通じて、第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発する。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【０２５６】
第１利用ユニット４ａに送られた熱源側冷媒は、第１利用側流量調節弁４２ａに送られる。第１利用側流量調節弁４２ａに送られた熱源側冷媒は、第１利用側流量調節弁４２ａにおいて減圧されて、低圧の気液二相状態になり、第１利用側液冷媒管４５ａを通じて、第１利用側熱交換器４１ａに送られる。第１利用側熱交換器４１ａに送られた低圧の熱源側冷媒は、第１利用側熱交換器４１ａにおいて、利用側冷媒回路４０ａを循環する冷凍サイクルにおける高圧の利用側冷媒と熱交換を行って蒸発する。第１利用側熱交換器４１ａにおいて蒸発した低圧の熱源側冷媒は、第１利用側熱交換器４１ａにおいて蒸発した低圧の熱源側冷媒は、第２利用側切換機構５３ａを構成する第１利用側ガス開閉弁５６ａ及び第１利用側ガス冷媒管５４ａを通じて、第１利用ユニット４ａからガス冷媒連絡管１４に送られる。
【０２５７】
第２利用ユニット１０ａ及び第１利用ユニット４ａからガス冷媒連絡管１４に送られた熱源側冷媒は、ガス冷媒連絡管１４において合流して、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２５８】
一方、利用側冷媒回路４０ａにおいては、第１利用側熱交換器４１ａにおける熱源側冷媒の蒸発によって利用側冷媒回路４０ａを循環する冷凍サイクルにおける高圧の利用側冷媒が放熱する。第１利用側熱交換器４１ａにおいて放熱した高圧の利用側冷媒は、冷媒−水熱交側流量調節弁６６ａに送られる。冷媒−水熱交側流量調節弁６６ａに送られた高圧の利用側冷媒は、冷媒−水熱交側流量調節弁６６ａにおいて減圧されて、低圧の気液二相状態になり、カスケード側液冷媒管６８ａを通じて、冷媒−水熱交換器６５ａに送られる。冷媒−水熱交換器６５ａに送られた低圧の利用側冷媒は、冷媒−水熱交換器６５ａにおいて、循環ポンプ４３ａによって水媒体回路８０ａを循環する水媒体と熱交換を行って蒸発する。冷媒−水熱交換器６５ａにおいて蒸発した低圧の利用側冷媒は、第１カスケード側ガス冷媒管７２ａ及び第１利用側切換機構６４ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１利用側切換機構６４ａ及び第２カスケード側ガス冷媒管６９ａを通じて、再び、第１利用側熱交換器４１ａに送られる。
【０２５９】
このようにして、熱源側切換機構２３を熱源側放熱運転状態にすることによって熱源側熱交換器２４を熱源側冷媒の放熱器として機能させ、かつ、第２利用側熱交換器１０１ａを熱源側冷媒の蒸発器として機能させるとともに、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として（すなわち、熱源側冷媒の蒸発器として）機能させる除霜運転を開始する。
【０２６０】
そして、所定の除霜運転終了条件を満たすかどうか（すなわち、熱源側熱交換器２４の除霜が終了したかどうか）の判定を行う（ステップＳ１３）。ここでは、熱源側熱交換器温度Ｔｈｘが所定の除霜完了温度Ｔｈｘｓに達したかどうか、又は、除霜運転開始からの経過時間である除霜運転時間ｔｄｆが所定の除霜運転設定時間ｔｄｆｓに達したかどうかによって、除霜運転終了条件を満たすかどうかを判定する。
【０２６１】
そして、除霜運転終了条件を満たしていると判定された場合には、除霜運転を終了し、給湯運転モードに戻す処理を行う（ステップＳ１４）。
【０２６２】
これにより、このヒートポンプシステム３００では、熱源側熱交換器２４を除霜する際に、熱源側切換機構２３を熱源側放熱運転状態にすることによって熱源側熱交換器２４を熱源側冷媒の放熱器として機能させるだけでなく、第１利用側切換機構６４ａを利用側蒸発運転状態にすることによって冷媒−水熱交換器６５ａを利用側冷媒の蒸発器として機能させ、かつ、第１利用側熱交換器４１ａを利用側冷媒の放熱器として機能させるようにしているため、熱源側熱交換器２４において放熱して冷却された熱源側冷媒を、第１利用側熱交換器４１ａにおいて利用側冷媒の放熱によって加熱し、第１利用側熱交換器４１ａにおいて放熱して冷却された利用側冷媒を、冷媒−水熱交換器６５ａにおいて蒸発させることによって加熱することができ、これにより、熱源側熱交換器２４の除霜を確実に行うことができる。しかも、第２利用側熱交換器１０１ａも熱源側冷媒の蒸発器として機能させるようにしているため、除霜運転時間ｔｄｆを短縮することができ、また、第２利用ユニット１０ａにおいて冷却される空気媒体の温度が低くなることを抑えることができる。
【０２６３】
また、このような構成を有するヒートポンプシステム３００において、給湯運転モード、給湯暖房運転モードや給湯冷房運転モードにおいて油回収運転が必要になった場合には、第１利用側切換機構６４ａを利用側放熱運転状態に維持したままで（すなわち、切り換えを行うことなく）、第２実施形態の変形例２の油回収運転を行うことができる。
【０２６４】
（３）変形例３
変形例２におけるヒートポンプシステム３００（図１３参照）のような、第１利用側熱交換器４１ａを吐出冷媒連絡管１２から導入される熱源側冷媒の放熱器として機能させる水媒体加熱運転状態と第１利用側熱交換器４１ａを液冷媒連絡管１３から導入される熱源側冷媒の蒸発器として機能させる水媒体冷却運転状態とを切り換えることが可能な第２利用側切換機構５３ａを備えた構成では、第１利用ユニット４ａの運転を停止して第２利用ユニット１０ａの運転（冷房運転や暖房運転）を行う場合（すなわち、吐出冷媒連絡管１２を使用しない運転の場合）に、熱源側圧縮機２１から吐出された熱源側冷媒が吐出冷媒連絡管１２に溜まり込んで、熱源側圧縮機２１に吸入される熱源側冷媒の流量が不足（すなわち、冷媒循環量不足）するおそれがある。
【０２６５】
そこで、このヒートポンプシステム３００では、図１４に示されるように、冷媒第２利用側切換機構５３ａが水媒体加熱運転状態及び水媒体冷却運転状態のいずれにおいても吐出冷媒連絡管１２とガス冷媒連絡管１４とを連通させる第１冷媒回収機構５７ａを設けるようにしている。ここで、第１冷媒回収機構５７ａは、キャピラリチューブを有する冷媒管であり、その一端が、第１利用側吐出冷媒管４６ａのうち第１利用側吐出開閉弁５５ａと吐出冷媒連絡管１２とを接続する部分に接続されており、その他端が、第１利用側ガス冷媒管５４ａのうち第１利用側ガス開閉弁５６ａとガス冷媒連絡管１４とを接続する部分に接続されており、第１利用側吐出開閉弁５５ａや第１利用側ガス開閉弁５６ａの開閉状態によらず、吐出冷媒連絡管１２とガス冷媒連絡管１４とを連通させるようになっている。
【０２６６】
これにより、このヒートポンプシステム３００では、熱源側冷媒が吐出冷媒連絡管１２に溜まり込みにくくなるため、熱源側冷媒回路２０における冷媒循環量不足の発生を抑えることができる。
【０２６７】
また、変形例２におけるヒートポンプシステム３００（図１３参照）のような、第１利用側熱交換器４１ａを吐出冷媒連絡管１２から導入される熱源側冷媒の放熱器として機能させる水媒体加熱運転状態と第１利用側熱交換器４１ａを液冷媒連絡管１３から導入される熱源側冷媒の蒸発器として機能させる水媒体冷却運転状態とを切り換えることが可能な第２利用側切換機構５３ａを備えた構成では、第１利用ユニット４ａの運転を停止して第２利用ユニット１０ａの運転（冷房運転や暖房運転）を行う場合に、第１利用側熱交換器４１ａに熱源側冷媒が溜まり込んで、熱源側圧縮機２１に吸入される熱源側冷媒の流量が不足（すなわち、冷媒循環量不足）するおそれがある。
【０２６８】
そこで、このヒートポンプシステム３００では、図１４に示されるように、第２利用側切換機構５３ａが水媒体加熱運転状態及び水媒体冷却運転状態のいずれにおいても第１利用側熱交換器４１ａとガス冷媒連絡管１４とを連通させる第２冷媒回収機構５８ａを設けるようにしている。ここで、第２冷媒回収機構５８ａは、キャピラリチューブを有する冷媒管であり、その一端が、第１利用側ガス冷媒管５４ａのうち第１利用側熱交換器４１ａのガス側と第１利用側ガス開閉弁５６ａとを接続する部分に接続されており、その他端が、第１利用側ガス冷媒管５４ａのうち第１利用側ガス開閉弁５６ａとガス冷媒連絡管１４とを接続する部分に接続されており、第１利用ユニット４ａの運転を停止している場合であっても、第１利用側ガス開閉弁５６ａをバイパスして第１利用側熱交換器４１ａのガス側とガス冷媒連絡管１４とを連通させるようになっている。
【０２６９】
これにより、このヒートポンプシステム３００では、熱源側冷媒が第１利用側熱交換器４１ａに溜まり込みにくくなるため、熱源側冷媒回路２０における冷媒循環量不足の発生を抑えることができる。
【０２７０】
さらに、変形例におけるヒートポンプシステム３００（図１３参照）では、第１利用側吐出開閉弁５５ａ及び第１利用側ガス開閉弁５６ａによって第２利用側切換機構５３ａを構成しているため、給湯運転を伴う運転モードのいずれにおいても、吐出冷媒連絡管１２のみから第１利用ユニット４ａに熱源側冷媒が供給されることになる。
【０２７１】
しかし、給湯運転を伴う運転モードのうち給湯運転モードや給湯暖房運転モードにおいて、熱源側冷媒は、吐出冷媒連絡管１２だけでなくガス冷媒連絡管１４においても冷凍サイクルの高圧になっている。このため、給湯運転モードや給湯暖房運転モードにおいては、吐出冷媒連絡管１２だけでなくガス冷媒連絡管１４からも第１利用ユニット４ａに高圧の熱源側冷媒を送ることができるようにしてもよい。
【０２７２】
そこで、このヒートポンプシステム３００では、図１４に示されるように、第１利用側ガス冷媒管５４ａに第１利用側ガス逆止弁５９ａ及び第１利用側バイパス冷媒管６０ａをさらに設けて、第１利用側吐出開閉弁５５ａ及び第１利用側ガス開閉弁５６ａとともに第２利用側切換機構５３ａを構成するようにしている。ここで、第１利用側ガス逆止弁５９ａは、第１利用側ガス冷媒管５４ａのうち第１利用側ガス開閉弁５６ａとガス冷媒連絡管１４とを接続する部分に設けられている。第１利用側ガス逆止弁５９ａは、第１利用側熱交換器４１ａからガス冷媒連絡管１４へ向かう熱源側冷媒の流れを許容し、ガス冷媒連絡管１４から第１利用側熱交換器４１ａへ向かう熱源側冷媒の流れを禁止する逆止弁であり、これにより、第１利用側ガス開閉弁５６ａを通じて、ガス冷媒連絡管１４から第１利用側熱交換器４１ａへ向かう熱源側冷媒の流れが禁止されるようになっている。第１利用側バイパス冷媒管６０ａは、第１利用側ガス開閉弁５６ａ及び第１利用側ガス逆止弁５９ａをバイパスするように第１利用側ガス冷媒管５４ａに接続されており、第１利用側ガス冷媒管５４ａの一部を構成している。第１利用側バイパス冷媒管６０ａには、ガス冷媒連絡管１４から第１利用側熱交換器４１ａへ向かう熱源側冷媒の流れを許容し、第１利用側熱交換器４１ａからガス冷媒連絡管１４へ向かう熱源側冷媒の流れを禁止する第１利用側バイパス逆止弁５９ａが設けられており、これにより、第１利用側バイパス冷媒管６０ａを通じて、ガス冷媒連絡管１４から第１利用側熱交換器４１ａへ向かう熱源側冷媒の流れが許容されるようになっている。
【０２７３】
これにより、このヒートポンプシステム３００では、給湯運転モード及び給湯暖房運転モードにおいて、吐出冷媒連絡管１２だけでなくガス冷媒連絡管１４からも第１利用ユニット４ａに高圧の熱源側冷媒を送ることができるようになるため、熱源ユニット２から第１利用ユニット４ａに供給される熱源側冷媒の圧力損失が減少し、給湯能力や運転効率の向上に寄与することができる。
【０２７４】
（４）変形例４
上述のヒートポンプシステム３００（図１２〜図１４参照）では、熱源ユニット２に１つの第１利用ユニット４ａと１つの第２利用ユニット１０ａとが冷媒連絡管１２、１３、１４を介して接続されているが、図１５〜図１７に示されるように（ここでは、温水暖房ユニット、貯湯ユニット及び水媒体回路８０ａ、８０ｂ等の図示を省略）、複数（ここでは、２つ）の第１利用ユニット４ａ、４ｂを、冷媒連絡管１３、１４を介して、互いが並列に接続されるようにしたり、及び／又は、複数（ここでは、２つ）の第２利用ユニット１０ａ、１０ｂを、冷媒連絡管１２、１３、１４を介して、互いが並列に接続されるようにしてもよい。尚、第１利用ユニット４ｂの構成は、第１利用ユニット４ａの構成と同様であるため、第１利用ユニット４ｂの構成については、それぞれ、第１利用ユニット４ａの各部を示す符号の添字「ａ」の代わりに添字「ｂ」を付して、各部の説明を省略する。また、第２利用ユニット１０ｂの構成は、第２利用ユニット１０ａの構成と同様であるため、第２利用ユニット１０ｂの構成については、それぞれ、第２利用ユニット１０ａの各部を示す符号の添字「ａ」の代わりに添字「ｂ」を付して、各部の説明を省略する。
【０２７５】
これにより、これらのヒートポンプシステム３００では、水媒体の加熱が必要な複数の場所や用途に対応することができ、また、空気媒体の冷却が必要な複数の場所や用途に対応することができる。
【０２７６】
（５）変形例５
上述のヒートポンプシステム３００（図１２〜図１７参照）では、第２利用ユニット１０ａ、１０ｂ内に第２利用側流量調節弁１０２ａ、１０２ｂが設けられているが、図１８に示されるように（ここでは、温水暖房ユニット、貯湯ユニット及び水媒体回路８０ａ等の図示を省略）、第２利用ユニット１０ａ、１０ｂから第２利用側流量調節弁１０２ａ、１０２ｂを省略して、第２利用側流量調節弁１０２ａ、１０２ｂを有する膨張弁ユニット１７を設けるようにしてもよい。
【０２７７】
（他の実施形態）
以上、本発明の実施形態及びその変形例について図面に基づいて説明したが、具体的な構成は、これらの実施形態及びその変形例に限られるものではなく、発明の要旨を逸脱しない範囲で変更可能である。
【０２７８】
＜Ａ＞
第２、第３実施形態及びそれらの変形例にかかるヒートポンプシステム２００、３００において、第２利用ユニット１０ａ、１０ｂが室内の冷暖房に使用される利用ユニットではなく、冷蔵や冷凍等の冷暖房とは異なる用途に使用されるものであってもよい。
【０２７９】
＜Ｂ＞
第３実施形態及びその変形例にかかるヒートポンプシステム３００において、例えば、第２熱源側ガス冷媒管２３ｂと熱源側吸入管２１ｃとを連通させることによってガス冷媒連絡管１４を冷凍サイクルにおける低圧の熱源側冷媒が流れる冷媒管として使用し、これにより、第２利用側熱交換器１０１ａ、１０１ｂを熱源側冷媒の蒸発器としてのみ機能させるようにして、第２利用ユニット１０ａ、１０ｂを冷房専用の利用ユニットにしてもよい。この場合においても、給湯冷房運転モードにおける運転が可能であり、省エネルギー化を図ることができる。
【０２８０】
＜Ｃ＞
第１〜第３の実施形態及びその変形例にかかるヒートポンプシステム１、２００、３００においては、利用側冷媒としてＨＦＣ−１３４ａが使用されているが、これに限定されず、例えば、ＨＦＯ−１２３４ｙｆ（２、３、３、３−テトラフルオロ−１−プロペン）等、飽和ガス温度６５℃に相当する圧力がゲージ圧で高くとも２．８ＭＰａ以下、好ましくは、２．０ＭＰａ以下の冷媒であればよい。
【産業上の利用可能性】
【０２８１】
本発明を利用すれば、ヒートポンプサイクルを利用して水媒体を加熱することが可能なヒートポンプシステムにおいて、高温の水媒体を得ることができるようになる。
【符号の説明】
【０２８２】
１、２００、３００  ヒートポンプシステム
２  熱源ユニット
４ａ、４ｂ  第１利用ユニット
２０  熱源側冷媒回路
２１  熱源側圧縮機
２４  熱源側熱交換器
４０ａ、４０ｂ  利用側冷媒回路
４１ａ、４１ｂ  第１利用側熱交換器
６２ａ、６２ｂ  利用側圧縮機
６５ａ、６５ｂ  冷媒−水熱交換器
６６ａ、６６ｂ  冷媒−水熱交側流量調節弁
６７ａ、６７ｂ  利用側アキュムレータ
【先行技術文献】
【特許文献】
【０２８３】
【特許文献１】特開昭６０−１６４１５７号公報
【図１】
2010196952.tif 000003
【図２】
2010196952.tif 000004
【図３】
2010196952.tif 000005
【図４】
2010196952.tif 000006
【図５】
2010196952.tif 000007
【図６】
2010196952.tif 000008
【図７】
2010196952.tif 000009
【図８】
2010196952.tif 000010
【図９】
2010196952.tif 000011
【図１０】
2010196952.tif 000012
【図１１】
2010196952.tif 000013
【図１２】
2010196952.tif 000014
【図１３】
2010196952.tif 000015
【図１４】
2010196952.tif 000016
【図１５】
2010196952.tif 000017
【図１６】
2010196952.tif 000018
【図１７】
2010196952.tif 000019
【図１８】
2010196952.tif 000020